(57)【要約】本出願の実施形態はデータ送信方法および装置を提供する。本方法は、基地局によって、端末によって送られたランダムアクセスプリアンブルシーケンスを受信するステップと、基地局によって、ランダムアクセスプリアンブルシーケンスに基づいて端末にメディアアクセス制御ＭＡＣパケットデータユニットＰＤＵを送るステップであって、ＭＡＣ  ＰＤＵはタイプ指示フィールドを含み、タイプ指示フィールドは、端末が最初のアップリンク情報中でデータを送信する様式を示すために使用される、ステップとを含む。本出願のこの実施形態では、データ送信遅延が低減されることが可能である。
2020528247.tif 000002
【特許請求の範囲】
【請求項１】
基地局によって、端末によって送られたランダムアクセスプリアンブルシーケンスを受信するステップと、
前記基地局によって、前記ランダムアクセスプリアンブルシーケンスに基づいて前記端末にメディアアクセス制御ＭＡＣパケットデータユニットＰＤＵを送るステップであって、前記ＭＡＣ  ＰＤＵはタイプ指示フィールドを備え、前記タイプ指示フィールドは、前記端末が最初のアップリンク情報中でデータを送信する様式を示すために使用される、ステップと
を備えるデータ送信方法。
【請求項２】
前記タイプ指示フィールドは、前記ＭＡＣ  ＰＤＵのＭＡＣランダムアクセス応答ＲＡＲ中に配置される
請求項１に記載の方法。
【請求項３】
前記タイプ指示フィールドは、前記ＭＡＣ  ＰＤＵのＭＡＣヘッダ中に配置される
請求項１に記載の方法。
【請求項４】
前記タイプ指示フィールドは１ビットを備え、前記タイプ指示フィールド中に備えられる前記ビットは、前記ＭＡＣ  ＲＡＲ中の第１のビットであるか、または
前記タイプ指示フィールド中に備えられる前記ビットは、前記ＭＡＣ  ＲＡＲ中の第１、第２８、第２９、第３０、第３１、もしくは第３２のビットのうちの少なくとも１つである
請求項２に記載の方法。
【請求項５】
前記ＭＡＣ  ＰＤＵ中の１つのＭＡＣ  ＲＡＲは、前記ＭＡＣ  ＰＤＵの前記ＭＡＣヘッダ中の１つのサブヘッダに対応し、前記サブヘッダは８ビットを備え、前記サブヘッダは、前記ＭＡＣヘッダ中の第ｍのサブヘッダであり、ｍは２以上の正の整数であり、前記サブヘッダ中の第１のビットは延長フィールドであり、前記サブヘッダ中の第２のビットは前記タイプ指示フィールドであり、前記サブヘッダ中の第３のビットから第８のビットは、ランダムアクセスプリアンブル識別子を示すために使用される
請求項３に記載の方法。
【請求項６】
前記ＭＡＣ  ＰＤＵの前記ＭＡＣヘッダは、Ｌ個の最初のサブヘッダを備え、各最初のサブヘッダは、ｎ個のタイプ指示フィールドを備え、各タイプ指示フィールドは、前記ＭＡＣ  ＰＤＵ中の１つのＭＡＣ  ＲＡＲに対応し、ｎは正の整数であり、Ｌは１以上の正の整数である
請求項３に記載の方法。
【請求項７】
前記Ｌ個の最初のサブヘッダは、前記ＭＡＣヘッダ中の最後のＬ個のサブヘッダであり、前記Ｌ個の最初のサブヘッダは、前記ＭＡＣヘッダ中の前記最初のサブヘッダを備えないか、または
前記Ｌ個の最初のサブヘッダは、前記最初のサブヘッダ以外の前記ＭＡＣヘッダ中の前記最初のＬ個のサブヘッダである
請求項６に記載の方法。
【請求項８】
各最初のサブヘッダは８ビットを備え、各最初のサブヘッダ中の第１のビットは延長フィールドであり、第２のビットはタイプフィールドであり、前記タイプフィールドは、前記最初のサブヘッダ中の第３のビットから第８のビットが前記タイプ指示フィールドとして構成されることを示すために使用され、前記サブヘッダの前記タイプフィールドが０に設定された場合、前記サブヘッダ中の前記第３のビットから前記第８のビットの各々は、１つのタイプ指示フィールドに対応する請求項７に記載の方法。
【請求項９】
前記最初のサブヘッダ中の第ｘのタイプ指示フィールドは、前記ＭＡＣ  ＰＤＵ中の第ｘのＭＡＣ  ＲＡＲに対応し、ｘは正の整数である
請求項６乃至８のいずれか一項に記載の方法。
【請求項１０】
前記タイプ指示フィールドが１であるとき、前記タイプ指示フィールドは、前記端末が第１の様式で前記最初のアップリンク情報中で前記データを送信することを示し、前記第１の様式は第１のアップリンク許可であるか、もしくは前記タイプ指示フィールドが０であるとき、前記タイプ指示フィールドは、前記端末が第２の様式で前記最初のアップリンク情報中で前記データを送信することを示し、前記第２の様式は第２のアップリンク許可であるか、または
前記タイプ指示フィールドが１であるとき、前記タイプ指示フィールドは、前記端末が第３の様式で前記最初のアップリンク情報中で前記データを送信することを示し、前記第３の様式は第３のアップリンク許可であるか、もしくは前記タイプ指示フィールドが０であるとき、前記タイプ指示フィールドは、前記端末が第４の様式で前記最初のアップリンク情報中で前記データを送信することを示し、前記第４の様式は第４のアップリンク許可であるか、または
前記タイプ指示フィールドが１であるとき、前記タイプ指示フィールドは、前記端末が第５の様式で前記最初のアップリンク情報中で前記データを送信することを示し、前記第５の様式は第２のアップリンク許可であるか、もしくは前記タイプ指示フィールドが０であるとき、前記タイプ指示フィールドは、前記端末が第６の様式で前記最初のアップリンク情報中で前記データを送信することを示し、前記第６の様式は第４のアップリンク許可であり、
前記第１のアップリンク許可は、前記端末が、第１のクエリ様式で、前記最初のアップリンク情報を送信するためのトランスポートブロックサイズを決定することを示し、前記第２のアップリンク許可は、前記端末が、第２のクエリ様式で、前記最初のアップリンク情報を送信するための前記トランスポートブロックサイズを決定することを示し、前記第３のアップリンク許可は、前記端末が物理リソースブロックのユニットでリソースを割り振ることを示し、前記第３のアップリンク許可を使用することによって割り振られる前記リソースは、１つの物理リソースブロック以上であり、前記第４のアップリンク許可を使用することによって割り振られるリソースは、１つの物理リソースブロックよりも少なく、前記第１のクエリ様式で決定される最大トランスポートブロックサイズＴＢＳは、前記第２のクエリ様式で決定される最大ＴＢＳよりも少ない
請求項４または６に記載の方法。
【請求項１１】
前記タイプ指示フィールドが０であるとき、前記タイプ指示フィールドは、前記端末が第７の様式で前記最初のアップリンク情報中で前記データを送信することを示し、前記第７の様式は第１のアップリンク許可であるか、もしくは前記タイプ指示フィールドが１であるとき、前記タイプ指示フィールドは、前記端末が第８の様式で前記最初のアップリンク情報中で前記データを送信することを示し、前記第８の様式は第２のアップリンク許可であるか、または
前記タイプ指示フィールドが０であるとき、前記タイプ指示フィールドは、前記端末が第９の様式で前記最初のアップリンク情報中で前記データを送信することを示し、前記第９の様式は第３のアップリンク許可であるか、もしくは前記タイプ指示フィールドが１であるとき、前記タイプ指示フィールドは、前記端末が第１０の様式で前記最初のアップリンク情報中で前記データを送信することを示し、前記第１０の様式は第４のアップリンク許可であるか、または
前記タイプ指示フィールドが０であるとき、前記タイプ指示フィールドは、前記端末が第１１の様式で前記最初のアップリンク情報中で前記データを送信することを示し、前記第１１の様式は第２のアップリンク許可であるか、もしくは前記タイプ指示フィールドが１であるとき、前記タイプ指示フィールドは、前記端末が第１２の様式で前記最初のアップリンク情報中で前記データを送信することを示し、前記第１２の様式は第４のアップリンク許可であり、
前記第１のアップリンク許可は、前記端末が、第１のクエリ様式で、前記最初のアップリンク情報を送信するためのトランスポートブロックサイズを決定することを示し、前記第２のアップリンク許可は、前記端末が、第２のクエリ様式で、前記最初のアップリンク情報を送信するための前記トランスポートブロックサイズを決定することを示し、前記第３のアップリンク許可は、前記端末が物理リソースブロックのユニットでリソースを割り振ることを示し、前記第３のアップリンク許可を使用することによって割り振られる前記リソースは、１つの物理リソースブロック以上であり、前記第４のアップリンク許可を使用することによって割り振られるリソースは、１つの物理リソースブロックよりも少なく、前記第１のクエリ様式で決定される最大トランスポートブロックサイズＴＢＳは、前記第２のクエリ様式で決定される最大ＴＢＳよりも少ない
請求項５または６に記載の方法。
【請求項１２】
前記端末の物理ランダムアクセスチャネルが第１のモードを使用するとき、前記端末は、第１３の様式もしくは第１４の様式で前記最初のアップリンク情報中で前記データを送信し、前記第１３の様式は前記第１のアップリンク許可であり、前記第１４の様式は前記第２のアップリンク許可であり、および／または
前記端末の物理ランダムアクセスチャネルが第２のモードを使用するとき、前記端末は、第１５の様式もしくは第１６の様式で前記最初のアップリンク情報中で前記データを送信し、前記第１５の様式は前記第３のアップリンク許可であり、前記第１６の様式は前記第４のアップリンク許可であり、
前記第１のモードは、カバレージ拡張レベル０、カバレージ拡張レベル１、およびカバレージ拡張モードＡのうちの１つまたは複数であり、前記第２のモードは、カバレージ拡張レベル２、カバレージ拡張レベル３、およびカバレージ拡張モードＢのうちの１つまたは複数である
請求項１０または１１に記載の方法。
【請求項１３】
前記最初のアップリンク情報は、前記ＭＡＣ  ＰＤＵ中の前記ＭＡＣ  ＲＡＲに関連付けられたアップリンク情報であるか、または
前記最初のアップリンク情報は物理アップリンク共有チャネル上で搬送され、前記最初のアップリンク情報は、前記ＭＡＣ  ＲＡＲの後の１番目のアップリンク情報であるか、または
前記最初のアップリンク情報は、ランダムアクセス手順におけるメッセージ３であるか、または
前記最初のアップリンク情報は、ランダムアクセス手順におけるメッセージ３とランダムアクセス手順における競合解消メッセージとの間のアップリンク情報であるか、または
前記最初のアップリンク情報は、ランダムアクセス手順におけるランダムアクセス応答メッセージと競合解消メッセージとの間のアップリンク情報である
請求項１乃至１２のいずれか一項に記載の方法。
【請求項１４】
端末によって、基地局にランダムアクセスプリアンブルシーケンスを送るステップと、
前記端末によって、前記ランダムアクセスプリアンブルシーケンスに基づいて、前記基地局によって送られたメディアアクセス制御ＭＡＣパケットデータユニットＰＤＵを受信するステップであって、
前記ＭＡＣ  ＰＤＵはタイプ指示フィールドを備え、前記タイプ指示フィールドは、前記端末が最初のアップリンク情報中でデータを送信する様式を示すために使用される、ステップと
を備えるデータ送信方法。
【請求項１５】
前記タイプ指示フィールドは、前記ＭＡＣ  ＰＤＵのＭＡＣランダムアクセス応答ＲＡＲ中に配置される
請求項１４に記載の方法。
【請求項１６】
前記タイプ指示フィールドは、前記ＭＡＣ  ＰＤＵのＭＡＣヘッダ中に配置される
請求項１４に記載の方法。
【請求項１７】
前記タイプ指示フィールドは１ビットを備え、前記タイプ指示フィールド中に備えられる前記ビットは、前記ＭＡＣ  ＲＡＲ中の第１のビットであるか、または
前記タイプ指示フィールド中に備えられる前記ビットは、前記ＭＡＣ  ＲＡＲ中の第１、第２８、第２９、第３０、第３１、もしくは第３２のビットのうちの少なくとも１つである
請求項１５に記載の方法。
【請求項１８】
前記ＭＡＣ  ＰＤＵ中の１つのＭＡＣ  ＲＡＲは、前記ＭＡＣ  ＰＤＵの前記ＭＡＣヘッダ中の１つのサブヘッダに対応し、前記サブヘッダは８ビットを備え、前記サブヘッダは、前記ＭＡＣヘッダ中の第ｍのサブヘッダであり、ｍは２以上の正の整数であり、前記サブヘッダ中の第１のビットは延長フィールドであり、前記サブヘッダ中の第２のビットは前記タイプ指示フィールドであり、前記サブヘッダ中の第３のビットから第８のビットは、ランダムアクセスプリアンブル識別子を示すために使用される
請求項１６に記載の方法。
【請求項１９】
前記ＭＡＣ  ＰＤＵの前記ＭＡＣヘッダは、Ｌ個の最初のサブヘッダを備え、各最初のサブヘッダは、ｎ個のタイプ指示フィールドを備え、各タイプ指示フィールドは、前記ＭＡＣ  ＰＤＵ中の１つのＭＡＣ  ＲＡＲに対応し、ｎは正の整数であり、Ｌは１以上の正の整数である
請求項１６に記載の方法。
【請求項２０】
前記Ｌ個の最初のサブヘッダは、前記ＭＡＣヘッダ中の最後のＬ個のサブヘッダであり、前記Ｌ個の最初のサブヘッダは、前記ＭＡＣヘッダ中の前記最初のサブヘッダを備えないか、または
前記Ｌ個の最初のサブヘッダは、前記最初のサブヘッダ以外の前記ＭＡＣヘッダ中の前記最初のＬ個のサブヘッダである
請求項１９に記載の方法。
【請求項２１】
各最初のサブヘッダは８ビットを備え、各最初のサブヘッダ中の第１のビットは延長フィールドであり、第２のビットはタイプフィールドであり、前記タイプフィールドは、前記最初のサブヘッダ中の第３のビットから第８のビットが前記タイプ指示フィールドとして構成されることを示すために使用され、前記サブヘッダの前記タイプフィールドが０に設定された場合、前記サブヘッダ中の前記第３のビットから前記第８のビットの各々は、１つのタイプ指示フィールドに対応する請求項２０に記載の方法。
【請求項２２】
前記最初のサブヘッダ中の第ｘのタイプ指示フィールドは、前記ＭＡＣ  ＰＤＵ中の第ｘのＭＡＣ  ＲＡＲに対応し、ｘは正の整数である
請求項１９乃至２１のいずれか一項に記載の方法。
【請求項２３】
前記タイプ指示フィールドが１であるとき、前記タイプ指示フィールドは、前記端末が第１の様式で前記最初のアップリンク情報中で前記データを送信することを示し、前記第１の様式は第１のアップリンク許可であるか、もしくは前記タイプ指示フィールドが０であるとき、前記タイプ指示フィールドは、前記端末が第２の様式で前記最初のアップリンク情報中で前記データを送信することを示し、前記第２の様式は第２のアップリンク許可であるか、または
前記タイプ指示フィールドが１であるとき、前記タイプ指示フィールドは、前記端末が第３の様式で前記最初のアップリンク情報中で前記データを送信することを示し、前記第３の様式は第３のアップリンク許可であるか、もしくは前記タイプ指示フィールドが０であるとき、前記タイプ指示フィールドは、前記端末が第４の様式で前記最初のアップリンク情報中で前記データを送信することを示し、前記第４の様式は第４のアップリンク許可であるか、または
前記タイプ指示フィールドが１であるとき、前記タイプ指示フィールドは、前記端末が第５の様式で前記最初のアップリンク情報中で前記データを送信することを示し、前記第５の様式は第２のアップリンク許可であるか、もしくは前記タイプ指示フィールドが０であるとき、前記タイプ指示フィールドは、前記端末が第６の様式で前記最初のアップリンク情報中で前記データを送信することを示し、前記第６の様式は第４のアップリンク許可であり、
前記第１のアップリンク許可は、前記端末が、第１のクエリ様式で、前記最初のアップリンク情報を送信するためのトランスポートブロックサイズを決定することを示し、前記第２のアップリンク許可は、前記端末が、第２のクエリ様式で、前記最初のアップリンク情報を送信するための前記トランスポートブロックサイズを決定することを示し、前記第３のアップリンク許可は、リソースが物理リソースブロックのユニットで割り振られることを示し、前記第３のアップリンク許可を使用することによって割り振られる前記リソースは、少なくとも１つの物理リソースブロックを占有し、前記第４のアップリンク許可は、リソースがサブキャリアのユニットで割り振られることを少なくとも示し、前記第４のアップリンク許可を使用することによって割り振られる前記リソースは、最大１つの物理リソースブロックを占有するか、または前記第４のアップリンク許可を使用することによって割り振られる前記リソースは、１つの物理リソースブロックよりも少なく、前記第１のクエリ様式で決定される最大トランスポートブロックサイズＴＢＳは、前記第２のクエリ様式で決定される最大ＴＢＳよりも少ない
請求項１７または１９に記載の方法。
【請求項２４】
前記タイプ指示フィールドが０であるとき、前記タイプ指示フィールドは、前記端末が第７の様式で前記最初のアップリンク情報中で前記データを送信することを示し、前記第７の様式は第１のアップリンク許可であるか、もしくは前記タイプ指示フィールドが１であるとき、前記タイプ指示フィールドは、前記端末が第８の様式で前記最初のアップリンク情報中で前記データを送信することを示し、前記第８の様式は第２のアップリンク許可であるか、または
前記タイプ指示フィールドが０であるとき、前記タイプ指示フィールドは、前記端末が第９の様式で前記最初のアップリンク情報中で前記データを送信することを示し、前記第９の様式は第３のアップリンク許可であるか、もしくは前記タイプ指示フィールドが１であるとき、前記タイプ指示フィールドは、前記端末が第１０の様式で前記最初のアップリンク情報中で前記データを送信することを示し、前記第１０の様式は第４のアップリンク許可であるか、または
前記タイプ指示フィールドが０であるとき、前記タイプ指示フィールドは、前記端末が第１１の様式で前記最初のアップリンク情報中で前記データを送信することを示し、前記第１１の様式は第２のアップリンク許可であるか、もしくは前記タイプ指示フィールドが１であるとき、前記タイプ指示フィールドは、前記端末が第１２の様式で前記最初のアップリンク情報中で前記データを送信することを示し、前記第１２の様式は第４のアップリンク許可であり、
前記第１のアップリンク許可は、前記端末が、第１のクエリ様式で、前記最初のアップリンク情報を送信するためのトランスポートブロックサイズを決定することを示し、前記第２のアップリンク許可は、前記端末が、第２のクエリ様式で、前記最初のアップリンク情報を送信するための前記トランスポートブロックサイズを決定することを示し、前記第３のアップリンク許可は、前記端末が物理リソースブロックのユニットでリソースを割り振ることを示し、前記第３のアップリンク許可を使用することによって割り振られる前記リソースは、少なくとも１つの物理リソースブロックを占有し、前記第４のアップリンク許可は、リソースがサブキャリアのユニットで割り振られることを少なくとも示し、前記第４のアップリンク許可を使用することによって割り振られる前記リソースは、最大１つの物理リソースブロックを占有するか、または前記第４のアップリンク許可を使用することによって割り振られる前記リソースは、１つの物理リソースブロックよりも少なく、前記第１のクエリ様式で決定される最大トランスポートブロックサイズＴＢＳは、前記第２のクエリ様式で決定される最大ＴＢＳよりも少ない
請求項１８または１９に記載の方法。
【請求項２５】
前記端末の物理ランダムアクセスチャネルが第１のモードを使用するとき、前記端末は、第１３の様式もしくは第１４の様式で前記最初のアップリンク情報中で前記データを送信し、前記第１３の様式は前記第１のアップリンク許可であり、前記第１４の様式は前記第２のアップリンク許可であり、および／または
前記端末の物理ランダムアクセスチャネルが第２のモードを使用するとき、前記端末は、第１５の様式もしくは第１６の様式で前記最初のアップリンク情報中で前記データを送信し、前記第１５の様式は前記第３のアップリンク許可であり、前記第１６の様式は前記第４のアップリンク許可であり、
前記第１のモードは、カバレージ拡張レベル０、カバレージ拡張レベル１、およびカバレージ拡張モードＡのうちの１つまたは複数であり、前記第２のモードは、カバレージ拡張レベル２、カバレージ拡張レベル３、およびカバレージ拡張モードＢのうちの１つまたは複数である
請求項２３または２４に記載の方法。
【請求項２６】
前記最初のアップリンク情報は、前記ＭＡＣ  ＰＤＵ中の前記ＭＡＣ  ＲＡＲに関連付けられたアップリンク情報であるか、または
前記最初のアップリンク情報は物理アップリンク共有チャネル上で搬送され、前記最初のアップリンク情報は、前記ＭＡＣ  ＲＡＲの後の１番目のアップリンク情報であるか、または
前記最初のアップリンク情報は、ランダムアクセス手順におけるメッセージ３であるか、または
前記最初のアップリンク情報は、ランダムアクセス手順におけるメッセージ３とランダムアクセス手順における競合解消メッセージとの間のアップリンク情報であるか、または
前記最初のアップリンク情報は、ランダムアクセス手順におけるランダムアクセス応答メッセージと競合解消メッセージとの間のアップリンク情報である
請求項１４乃至２５のいずれか一項に記載の方法。
【請求項２７】
データ送信装置であって、前記装置は、請求項１乃至１３のいずれか一項に記載の方法を実施するように構成されたデータ送信装置。
【請求項２８】
データ送信装置であって、前記装置は、請求項１４乃至２６のいずれか一項に記載の方法を実施するように構成されたデータ送信装置。
【発明の詳細な説明】
【技術分野】
【０００１】
本出願は、情報処理技術の分野に関し、詳細には、データ送信方法および装置に関する。
【背景技術】
【０００２】
現在、ワイヤレス通信システムにますます多量の低遅延サービスが適用されるので、ワイヤレス通信システム中のサービスデータの送信遅延がさらに低減されることが可能であるように、ワイヤレス通信システムの送信遅延にはより高い要件が提起される。
【０００３】
ランダムアクセス手順は以下のステップを含む。１．端末が、ランダムアクセスプリアンブルおよび物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）リソースを選択し、ＰＲＡＣＨリソースを使用することによって、選択されたランダムアクセスプリアンブルを基地局に送る。２．基地局が、プリアンブルを受信し、タイミングアドバンスＴＡを計算し、ランダムアクセス応答を端末に送る。ランダムアクセス応答は、少なくともタイミングアドバンスおよびアップリンクスケジューリング（ＵＬ許可）を含む。３．端末が、指定されたＵＬ許可上でアップリンクメッセージ３（Ｍｓｇ３）を送る。４．ＵＥが、メッセージ４（Ｍｓｇ４）に基づいて、ランダムアクセスが成功するかどうかを決定し、ランダムアクセスが成功した場合、端末が基地局にデータを送信する。
【０００４】
したがって、上記のデータ通信処理では、どのようにデータ送信遅延を低減すべきであるかが、現在喫緊に解決されるべき技術的問題である。
【発明の概要】
【０００５】
本出願の実施形態は、データ通信処理においてデータ送信遅延を低減するための、データ送信方法および装置を提供する。
【０００６】
第１の態様によれば、本出願は、
基地局によって、端末によって送られたランダムアクセスプリアンブルシーケンスを受信するステップと、
基地局によって、ランダムアクセスプリアンブルシーケンスに基づいて端末にメディアアクセス制御ＭＡＣパケットデータユニットＰＤＵを送るステップであって、ＭＡＣ  ＰＤＵはタイプ指示フィールドを含み、タイプ指示フィールドは、端末が最初のアップリンク情報中でデータを送信する様式を示すために使用される、ステップと
を含む、データ送信方法を提供する。
【０００７】
上記の解決策では、ランダムアクセス手順において、端末は、基地局にランダムアクセスプリアンブルシーケンスを送る必要があり、基地局は、受信されたランダムアクセスプリアンブルシーケンスに基づいて端末にランダムアクセス応答（Ｒａｎｄｏｍ  Ａｃｃｅｓｓ  Ｒｅｓｐｏｎｓｅ、ＲＡＲ）を返す。基地局が、同じ時間内に、端末によって送られた複数のランダムアクセスプリアンブルシーケンスを受信した場合、基地局は、端末によって送られた複数のランダムアクセスプリアンブルシーケンスに同時に応答するために、端末にＭＡＣ  ＰＤＵを返し、各ランダムアクセスプリアンブルシーケンスに対する応答は、ＭＡＣ  ＰＤＵ中の１つのＭＡＣ  ＲＡＲに対応する。ＭＡＣ  ＰＤＵは、端末が最初のアップリンク情報中でデータを送信する様式を示すための、タイプ指示フィールドを搬送する。
【０００８】
この解決策では、タイプ指示フィールドは、端末がランダムアクセス手順において最初のアップリンク情報中でデータを送信する様式を示すために使用されるか、もしくは既存のトランスポートブロックよりも大きいサイズをもつトランスポートブロックを示すために使用され得るか、または、リソース割振りのグラニュラリティは従来技術におけるグラニュラリティよりも小さく、したがって、リソース割振りはよりフレキシブルになり、また、ランダムアクセス手順において送られるユーザデータの遅延は低減され、データブロックはより大きくなり、リソース割振りはよりフレキシブルになる。
【０００９】
任意選択で、タイプ指示フィールドは、ＭＡＣ  ＰＤＵのＭＡＣランダムアクセス応答ＲＡＲ中に配置される。
【００１０】
任意選択で、タイプ指示フィールドは、ＭＡＣ  ＰＤＵのＭＡＣヘッダ中に配置される。
【００１１】
任意選択で、タイプ指示フィールドは１ビットを含み、タイプ指示フィールド中に含まれるビットは、ＭＡＣ  ＲＡＲ中の第１のビットであるか、または
タイプ指示フィールド中に含まれるビットは、ＭＡＣ  ＲＡＲ中の第１、第２８、第２９、第３０、第３１、もしくは第３２のビットのうちの少なくとも１つである。
【００１２】
上記の解決策では、ＭＡＣ  ＲＡＲは予約済みビットを含み、ＭＡＣ  ＲＡＲ中の予約済みビットは、端末が最初のアップリンク情報中でデータを送信する様式を示すために、タイプ指示フィールドとして使用される。このようにして、ＭＡＣ  ＰＤＵオーバーヘッドが追加されないとき、端末を示す目的が達成され、それにより、ネットワークのシグナリングオーバーヘッドが低減される。
【００１３】
任意選択で、ＭＡＣ  ＰＤＵ中の１つのＭＡＣ  ＲＡＲは、ＭＡＣ  ＰＤＵのＭＡＣヘッダ中の１つのサブヘッダに対応し、サブヘッダは８ビットを含み、サブヘッダは、ＭＡＣヘッダ中の第ｍのサブヘッダであり、ｍは２以上の正の整数であり、サブヘッダ中の第１のビットは延長フィールドであり、サブヘッダ中の第２のビットはタイプ指示フィールドであり、サブヘッダ中の第３のビットから第８のビットは、ランダムアクセスプリアンブル識別子を示すために使用される。
【００１４】
任意選択で、ＭＡＣ  ＰＤＵのＭＡＣヘッダは、Ｌ個の最初のサブヘッダを含み、各最初のサブヘッダは、ｎ個のタイプ指示フィールドを含み、各タイプ指示フィールドは、ＭＡＣ  ＰＤＵ中の１つのＭＡＣ  ＲＡＲに対応し、ｎは正の整数であり、Ｌは１以上の正の整数である。
【００１５】
任意選択で、Ｌ個の最初のサブヘッダは、ＭＡＣヘッダ中の最後のＬ個のサブヘッダであり、Ｌ個の最初のサブヘッダは、ＭＡＣヘッダ中の最初のサブヘッダを含まないか、または
Ｌ個の最初のサブヘッダは、最初のサブヘッダ以外のＭＡＣヘッダ中の最初のＬ個のサブヘッダである。
【００１６】
任意選択で、各最初のサブヘッダは８ビットを含み、各最初のサブヘッダ中の第１のビットは延長フィールドであり、第２のビットはタイプフィールドであり、タイプフィールドは、最初のサブヘッダ中の第３のビットから第８のビットがタイプ指示フィールドとして構成されることを示すために使用される。
【００１７】
サブヘッダのタイプフィールドが０に設定された場合、サブヘッダ中の第３のビットから第８のビットの各々は、１つのタイプ指示フィールドに対応する。
【００１８】
任意選択で、最初のサブヘッダ中の第ｘのタイプ指示フィールドは、ＭＡＣ  ＰＤＵ中の第ｘのＭＡＣ  ＲＡＲに対応し、ｘは正の整数である。
【００１９】
上記の解決策では、端末が最初のアップリンク情報中でデータを送信する様式は、ＭＡＣヘッダ中の最初のサブヘッダのフィールドを使用することによって示され、したがって、端末が示される様式がより単純になる。
【００２０】
任意選択で、タイプ指示フィールドが１であるとき、タイプ指示フィールドは、端末が第１の様式で最初のアップリンク情報中でデータを送信することを示し、第１の様式は第１のアップリンク許可であるか、もしくはタイプ指示フィールドが０であるとき、タイプ指示フィールドは、端末が第２の様式で最初のアップリンク情報中でデータを送信することを示し、第２の様式は第２のアップリンク許可であり、第１のアップリンク許可中に含まれるビットの量は、第２のアップリンク許可中に含まれるビットの量と同じであるか、または
タイプ指示フィールドが１であるとき、タイプ指示フィールドは、端末が第３の様式で最初のアップリンク情報中でデータを送信することを示し、第３の様式は第３のアップリンク許可であるか、もしくはタイプ指示フィールドが０であるとき、タイプ指示フィールドは、端末が第４の様式で最初のアップリンク情報中でデータを送信することを示し、第４の様式は第４のアップリンク許可であり、第３のアップリンク許可中に含まれるビットの量は、第４のアップリンク許可中に含まれるビットの量と同じであるか、または
タイプ指示フィールドが１であるとき、タイプ指示フィールドは、端末が第５の様式で最初のアップリンク情報中でデータを送信することを示し、第５の様式は第２のアップリンク許可であるか、もしくはタイプ指示フィールドが０であるとき、タイプ指示フィールドは、端末が第６の様式で最初のアップリンク情報中でデータを送信することを示し、第６の様式は第４のアップリンク許可であり、第２のアップリンク許可中に含まれるビットの量は、第４のアップリンク許可中に含まれるビットの量と同じであり、
第１のアップリンク許可は、端末が、第１のクエリ様式で、最初のアップリンク情報を送信するためのトランスポートブロックサイズを決定することを示し、第２のアップリンク許可は、端末が、第２のクエリ様式で、最初のアップリンク情報を送信するためのトランスポートブロックサイズを決定することを示し、第３のアップリンク許可は、端末が物理リソースブロックのユニットでリソースを割り振ることを示し、第３のアップリンク許可を使用することによって割り振られるリソースは、１つの物理リソースブロック以上であり、第４のアップリンク許可を使用することによって割り振られるリソースは、１つの物理リソースブロックよりも少なく、第１のクエリ様式で決定される最大トランスポートブロックサイズＴＢＳは、第２のクエリ様式で決定される最大ＴＢＳよりも少ない。
【００２１】
任意選択で、タイプ指示フィールドが０であるとき、タイプ指示フィールドは、端末が第７の様式で最初のアップリンク情報中でデータを送信することを示し、第７の様式は第１のアップリンク許可であるか、もしくはタイプ指示フィールドが１であるとき、タイプ指示フィールドは、端末が第８の様式で最初のアップリンク情報中でデータを送信することを示し、第８の様式は第２のアップリンク許可であり、第１のアップリンク許可中に含まれるビットの量は、第２のアップリンク許可中に含まれるビットの量と同じであるか、または
タイプ指示フィールドが０であるとき、タイプ指示フィールドは、端末が第９の様式で最初のアップリンク情報中でデータを送信することを示し、第９の様式は第３のアップリンク許可であるか、もしくはタイプ指示フィールドが１であるとき、タイプ指示フィールドは、端末が第１０の様式で最初のアップリンク情報中でデータを送信することを示し、第１０の様式は第４のアップリンク許可であり、第３のアップリンク許可中に含まれるビットの量は、第４のアップリンク許可中に含まれるビットの量と同じであるか、または
タイプ指示フィールドが０であるとき、タイプ指示フィールドは、端末が第１１の様式で最初のアップリンク情報中でデータを送信することを示し、第１１の様式は第２のアップリンク許可であるか、もしくはタイプ指示フィールドが１であるとき、タイプ指示フィールドは、端末が第１２の様式で最初のアップリンク情報中でデータを送信することを示し、第１２の様式は第４のアップリンク許可であり、第２のアップリンク許可中に含まれるビットの量は、第４のアップリンク許可中に含まれるビットの量と同じであり、
第１のアップリンク許可は、端末が、第１のクエリ様式で、最初のアップリンク情報を送信するためのトランスポートブロックサイズを決定することを示し、第２のアップリンク許可は、端末が、第２のクエリ様式で、最初のアップリンク情報を送信するためのトランスポートブロックサイズを決定することを示し、第３のアップリンク許可は、端末が物理リソースブロックのユニットでリソースを割り振ることを示し、第３のアップリンク許可を使用することによって割り振られるリソースは、１つの物理リソースブロック以上であり、第４のアップリンク許可を使用することによって割り振られるリソースは、１つの物理リソースブロックよりも少なく、第１のクエリ様式で決定される最大トランスポートブロックサイズＴＢＳは、第２のクエリ様式で決定される最大ＴＢＳよりも少ない。
【００２２】
任意選択で、端末の物理ランダムアクセスチャネルが第１のモードを使用するとき、端末は、第１３の様式もしくは第１４の様式で最初のアップリンク情報中でデータを送信し、第１３の様式は第１のアップリンク許可であり、第１４の様式は第２のアップリンク許可であり、および／または
端末の物理ランダムアクセスチャネルが第２のモードを使用するとき、端末は、第１５の様式もしくは第１６の様式で最初のアップリンク情報中でデータを送信し、第１５の様式は第３のアップリンク許可であり、第１６の様式は第４のアップリンク許可であり、
第１のモードは、カバレージ拡張レベル０、カバレージ拡張レベル１、およびカバレージ拡張モードＡのうちの１つまたは複数であり、第２のモードは、カバレージ拡張レベル２、カバレージ拡張レベル３、およびカバレージ拡張モードＢのうちの１つまたは複数である。
【００２３】
任意選択で、最初のアップリンク情報は、ＭＡＣ  ＰＤＵ中のＭＡＣ  ＲＡＲに関連付けられたアップリンク情報であるか、または
最初のアップリンク情報は物理アップリンク共有チャネル上で搬送され、最初のアップリンク情報は、ＭＡＣ  ＲＡＲの後の１番目のアップリンク情報であるか、または
最初のアップリンク情報は、ランダムアクセス手順におけるメッセージ３であるか、または
最初のアップリンク情報は、ランダムアクセス手順におけるメッセージ３とランダムアクセス手順における競合解消メッセージとの間のアップリンク情報であるか、または
最初のアップリンク情報は、ランダムアクセス手順におけるランダムアクセス応答メッセージと競合解消メッセージとの間のアップリンク情報である。
【００２４】
第２の態様によれば、本出願は、
端末によって、基地局にランダムアクセスプリアンブルシーケンスを送るステップと、
端末によって、ランダムアクセスプリアンブルシーケンスに基づいて、基地局によって送られたメディアアクセス制御ＭＡＣパケットデータユニットＰＤＵを受信するステップであって、
ＭＡＣ  ＰＤＵはタイプ指示フィールドを含み、タイプ指示フィールドは、端末が最初のアップリンク情報中でデータを送信する様式を示すために使用される、ステップと
を含む、データ送信方法を提供する。
【００２５】
上記の解決策では、ランダムアクセス手順において、端末は、基地局にランダムアクセスプリアンブルシーケンスを送る必要があり、基地局は、受信されたランダムアクセスプリアンブルシーケンスに基づいて端末にランダムアクセス応答（Ｒａｎｄｏｍ  Ａｃｃｅｓｓ  Ｒｅｓｐｏｎｓｅ、ＲＡＲ）を返す。基地局が、同じ時間内に、端末によって送られた複数のランダムアクセスプリアンブルシーケンスを受信した場合、基地局は、端末によって送られた複数のランダムアクセスプリアンブルシーケンスに同時に応答するために、端末にＭＡＣ  ＰＤＵを返し、各ランダムアクセスプリアンブルシーケンスに対する応答は、ＭＡＣ  ＰＤＵ中の１つのＭＡＣ  ＲＡＲに対応する。ＭＡＣ  ＰＤＵは、端末が最初のアップリンク情報中でデータを送信する様式を示すための、タイプ指示フィールドを搬送する。
【００２６】
この解決策では、タイプ指示フィールドは、端末がランダムアクセス手順において最初のアップリンク情報中でデータを送信する様式を示すために使用されるか、もしくは既存のトランスポートブロックよりも大きいサイズをもつトランスポートブロックを示すために使用され得るか、または、リソース割振りのグラニュラリティは従来技術におけるグラニュラリティよりも小さく、したがって、リソース割振りはよりフレキシブルになり、また、ランダムアクセス手順において送られるユーザデータの遅延は低減され、データブロックはより大きくなり、リソース割振りはよりフレキシブルになる。
【００２７】
任意選択で、タイプ指示フィールドは、ＭＡＣ  ＰＤＵのＭＡＣランダムアクセス応答ＲＡＲ中に配置される。
【００２８】
任意選択で、タイプ指示フィールドは、ＭＡＣ  ＰＤＵのＭＡＣヘッダ中に配置される。
【００２９】
任意選択で、タイプ指示フィールドは１ビットを含み、タイプ指示フィールド中に含まれるビットは、ＭＡＣ  ＲＡＲ中の第１のビットであるか、または
タイプ指示フィールド中に含まれるビットは、ＭＡＣ  ＲＡＲ中の第１、第２８、第２９、第３０、第３１、もしくは第３２のビットのうちの少なくとも１つである。
【００３０】
上記の解決策では、ＭＡＣ  ＲＡＲは予約済みビットを含み、ＭＡＣ  ＲＡＲ中の予約済みビットは、端末が最初のアップリンク情報中でデータを送信する様式を示すために、タイプ指示フィールドとして使用され得る。このようにして、ＭＡＣ  ＰＤＵオーバーヘッドが追加されないとき、端末を示す目的が達成され、それにより、ネットワークのシグナリングオーバーヘッドが低減される。
【００３１】
任意選択で、ＭＡＣ  ＰＤＵ中の１つのＭＡＣ  ＲＡＲは、ＭＡＣ  ＰＤＵのＭＡＣヘッダ中の１つのサブヘッダに対応し、サブヘッダは８ビットを含み、サブヘッダは、ＭＡＣヘッダ中の第ｍのサブヘッダであり、ｍは２以上の正の整数であり、サブヘッダ中の第１のビットは延長フィールドであり、サブヘッダ中の第２のビットはタイプ指示フィールドであり、サブヘッダ中の第３のビットから第８のビットは、ランダムアクセスプリアンブル識別子を示すために使用される。
【００３２】
任意選択で、ＭＡＣ  ＰＤＵのＭＡＣヘッダは、Ｌ個の最初のサブヘッダを含み、各最初のサブヘッダは、ｎ個のタイプ指示フィールドを含み、各タイプ指示フィールドは、ＭＡＣ  ＰＤＵ中の１つのＭＡＣ  ＲＡＲに対応し、ｎは正の整数であり、Ｌは１以上の正の整数である。
【００３３】
任意選択で、Ｌ個の最初のサブヘッダは、ＭＡＣヘッダ中の最後のＬ個のサブヘッダであり、Ｌ個の最初のサブヘッダは、ＭＡＣヘッダ中の最初のサブヘッダを含まないか、または
Ｌ個の最初のサブヘッダは、最初のサブヘッダ以外のＭＡＣヘッダ中の最初のＬ個のサブヘッダである。
【００３４】
任意選択で、各最初のサブヘッダは８ビットを含み、各最初のサブヘッダ中の第１のビットは延長フィールドであり、第２のビットはタイプフィールドであり、タイプフィールドは、最初のサブヘッダ中の第３のビットから第８のビットがタイプ指示フィールドとして構成されることを示すために使用される。
【００３５】
サブヘッダのタイプフィールドが０に設定された場合、サブヘッダ中の第３のビットから第８のビットの各々は、１つのタイプ指示フィールドに対応する。
【００３６】
任意選択で、最初のサブヘッダ中の第ｘのタイプ指示フィールドは、ＭＡＣ  ＰＤＵ中の第ｘのＭＡＣ  ＲＡＲに対応し、ｘは正の整数である。
【００３７】
上記の解決策では、端末が最初のアップリンク情報中でデータを送信する様式は、ＭＡＣヘッダ中の最初のサブヘッダのフィールドを使用することによって示され、したがって、端末が示される様式がより単純になる。
【００３８】
任意選択で、タイプ指示フィールドが１であるとき、タイプ指示フィールドは、端末が第１の様式で最初のアップリンク情報中でデータを送信することを示し、第１の様式は第１のアップリンク許可であるか、もしくはタイプ指示フィールドが０であるとき、タイプ指示フィールドは、端末が第２の様式で最初のアップリンク情報中でデータを送信することを示し、第２の様式は第２のアップリンク許可であり、第１のアップリンク許可中に含まれるビットの量は、第２のアップリンク許可中に含まれるビットの量と同じであるか、または
タイプ指示フィールドが１であるとき、タイプ指示フィールドは、端末が第３の様式で最初のアップリンク情報中でデータを送信することを示し、第３の様式は第３のアップリンク許可であるか、もしくはタイプ指示フィールドが０であるとき、タイプ指示フィールドは、端末が第４の様式で最初のアップリンク情報中でデータを送信することを示し、第４の様式は第４のアップリンク許可であり、第３のアップリンク許可中に含まれるビットの量は、第４のアップリンク許可中に含まれるビットの量と同じであるか、または
タイプ指示フィールドが１であるとき、タイプ指示フィールドは、端末が第５の様式で最初のアップリンク情報中でデータを送信することを示し、第５の様式は第２のアップリンク許可であるか、もしくはタイプ指示フィールドが０であるとき、タイプ指示フィールドは、端末が第６の様式で最初のアップリンク情報中でデータを送信することを示し、第６の様式は第４のアップリンク許可であり、第２のアップリンク許可中に含まれるビットの量は、第４のアップリンク許可中に含まれるビットの量と同じであり、
第１のアップリンク許可は、端末が、第１のクエリ様式で、最初のアップリンク情報を送信するためのトランスポートブロックサイズを決定することを示し、第２のアップリンク許可は、端末が、第２のクエリ様式で、最初のアップリンク情報を送信するためのトランスポートブロックサイズを決定することを示し、第３のアップリンク許可は、端末が物理リソースブロックのユニットでリソースを割り振ることを示し、第３のアップリンク許可を使用することによって割り振られるリソースは、１つの物理リソースブロック以上であり、第４のアップリンク許可を使用することによって割り振られるリソースは、１つの物理リソースブロックよりも少なく、第１のクエリ様式で決定される最大トランスポートブロックサイズＴＢＳは、第２のクエリ様式で決定される最大ＴＢＳよりも少ない。
【００３９】
任意選択で、タイプ指示フィールドが０であるとき、タイプ指示フィールドは、端末が第７の様式で最初のアップリンク情報中でデータを送信することを示し、第７の様式は第１のアップリンク許可であるか、もしくはタイプ指示フィールドが１であるとき、タイプ指示フィールドは、端末が第８の様式で最初のアップリンク情報中でデータを送信することを示し、第８の様式は第２のアップリンク許可であり、第１のアップリンク許可中に含まれるビットの量は、第２のアップリンク許可中に含まれるビットの量と同じであるか、または
タイプ指示フィールドが０であるとき、タイプ指示フィールドは、端末が第９の様式で最初のアップリンク情報中でデータを送信することを示し、第９の様式は第３のアップリンク許可であるか、もしくはタイプ指示フィールドが１であるとき、タイプ指示フィールドは、端末が第１０の様式で最初のアップリンク情報中でデータを送信することを示し、第１０の様式は第４のアップリンク許可であり、第３のアップリンク許可中に含まれるビットの量は、第４のアップリンク許可中に含まれるビットの量と同じであるか、または
タイプ指示フィールドが０であるとき、タイプ指示フィールドは、端末が第１１の様式で最初のアップリンク情報中でデータを送信することを示し、第１１の様式は第２のアップリンク許可であるか、もしくはタイプ指示フィールドが１であるとき、タイプ指示フィールドは、端末が第１２の様式で最初のアップリンク情報中でデータを送信することを示し、第１２の様式は第４のアップリンク許可であり、第２のアップリンク許可中に含まれるビットの量は、第４のアップリンク許可中に含まれるビットの量と同じであり、
第１のアップリンク許可は、端末が、第１のクエリ様式で、最初のアップリンク情報を送信するためのトランスポートブロックサイズを決定することを示し、第２のアップリンク許可は、端末が、第２のクエリ様式で、最初のアップリンク情報を送信するためのトランスポートブロックサイズを決定することを示し、第３のアップリンク許可は、端末が物理リソースブロックのユニットでリソースを割り振ることを示し、第３のアップリンク許可を使用することによって割り振られるリソースは、１つの物理リソースブロック以上であり、第４のアップリンク許可を使用することによって割り振られるリソースは、１つの物理リソースブロックよりも少なく、第１のクエリ様式で決定される最大トランスポートブロックサイズＴＢＳは、第２のクエリ様式で決定される最大ＴＢＳよりも少ない。
【００４０】
任意選択で、端末の物理ランダムアクセスチャネルが第１のモードを使用するとき、端末は、第１３の様式もしくは第１４の様式で最初のアップリンク情報中でデータを送信し、第１３の様式は第１のアップリンク許可であり、第１４の様式は第２のアップリンク許可であり、および／または
端末の物理ランダムアクセスチャネルが第２のモードを使用するとき、端末は、第１５の様式もしくは第１６の様式で最初のアップリンク情報中でデータを送信し、第１５の様式は第３のアップリンク許可であり、第１６の様式は第４のアップリンク許可であり、
第１のモードは、カバレージ拡張レベル０、カバレージ拡張レベル１、およびカバレージ拡張モードＡのうちの１つまたは複数であり、第２のモードは、カバレージ拡張レベル２、カバレージ拡張レベル３、およびカバレージ拡張モードＢのうちの１つまたは複数である。
【００４１】
任意選択で、最初のアップリンク情報は、ＭＡＣ  ＰＤＵ中のＭＡＣ  ＲＡＲに関連付けられたアップリンク情報であるか、または
最初のアップリンク情報は物理アップリンク共有チャネル上で搬送され、最初のアップリンク情報は、ＭＡＣ  ＲＡＲの後の１番目のアップリンク情報であるか、または
最初のアップリンク情報は、ランダムアクセス手順におけるメッセージ３であるか、または
最初のアップリンク情報は、ランダムアクセス手順におけるメッセージ３とランダムアクセス手順における競合解消メッセージとの間のアップリンク情報であるか、または
最初のアップリンク情報は、ランダムアクセス手順におけるランダムアクセス応答メッセージと競合解消メッセージとの間のアップリンク情報である。
【００４２】
第３の態様によれば、本出願は、プロセッサおよびメモリを含む、データ送信装置を提供し、
メモリは、命令を記憶するように構成され、プロセッサは、メモリに記憶された命令を実行するように構成され、プロセッサが、メモリに記憶された命令を実行するとき、本装置は、第１の態様による方法を実施するように構成される。
【００４３】
第４の態様によれば、本出願は、プロセッサおよびメモリを含む、データ送信装置を提供し、
メモリは、命令を記憶するように構成され、プロセッサは、メモリに記憶された命令を実行するように構成され、プロセッサが、メモリに記憶された命令を実行するとき、本装置は、第２の態様による方法を実施するように構成される。
【００４４】
第５の態様によれば、本出願は、第１の態様における方法を実施するように構成された少なくとも１つの処理ユニット（またはチップ）を含む、データ送信装置を提供する。
【００４５】
第６の態様によれば、本出願は、第２の態様における方法を実施するように構成された少なくとも１つの処理ユニット（またはチップ）を含む、データ送信装置を提供する。
【００４６】
第７の態様によれば、本出願はプログラムを提供する。プログラムは、プロセッサによって実行されるときに第１の態様における方法を実施するために使用される。
【００４７】
第８の態様によれば、本出願は、プログラム製品、たとえば、コンピュータ可読記憶媒体を提供し、プログラム製品は、第７の態様におけるプログラムを含む。
【００４８】
第９の態様によれば、本出願はプログラムを提供する。プログラムは、プロセッサによって実行されるときに第２の態様における方法を実施するために使用される。
【００４９】
第１０の態様によれば、本出願は、プログラム製品、たとえば、コンピュータ可読記憶媒体を提供し、プログラム製品は、第９の態様におけるプログラムを含む。
【００５０】
第１１の態様によれば、本出願はコンピュータ可読記憶媒体を提供する。コンピュータ可読記憶媒体は命令を記憶する。命令がコンピュータ上で走らされるとき、コンピュータは、第１の態様による方法を実施することを可能にされる。
【００５１】
第１２の態様によれば、本出願はコンピュータ可読記憶媒体を提供する。コンピュータ可読記憶媒体は命令を記憶する。命令がコンピュータ上で走らされるとき、コンピュータは、第２の態様による方法を実施することを可能にされる。
【００５２】
本出願のこの実施形態において提供されるデータ送信方法および装置によれば、基地局は、端末によって送られたランダムアクセスプリアンブルシーケンスを受信し、ランダムアクセスプリアンブルシーケンスに基づいてＭＡＣ  ＰＤＵを端末に送り、ＭＡＣ  ＰＤＵはタイプ指示フィールドを含み、タイプ指示フィールドは、端末が最初のアップリンク情報中でデータを送信する様式を示すために使用されるか、もしくは既存のトランスポートブロックよりも大きいサイズをもつトランスポートブロックを示し得るか、または、リソース割振りのグラニュラリティは従来技術におけるグラニュラリティよりも小さく、したがって、リソース割振りはよりフレキシブルになり、したがって、ランダムアクセス手順において送られるユーザデータの遅延は低減され、データブロックはより大きくなり、リソース割振りはよりフレキシブルになる。
【図面の簡単な説明】
【００５３】
【図１】本出願の実施形態によるデータ送信方法のシステムアーキテクチャ図である。
【図２】本出願によるデータ送信方法の実施形態１のシグナリングフローチャートである。
【図３】ＭＡＣ  ＰＤＵの概略構造図である。
【図４】ＭＡＣ  ＲＡＲの概略構造図である。
【図５】カバレージレベルＡのＢＬ／ＣＥ  ＵＥのタイプ０のリソース指示図である。
【図６】ＭＡＣ  ＲＡＲの別の概略構造図である。
【図７】ＭＡＣ  ＲＡＲのさらに別の概略構造図である。
【図８】サブヘッダの概略構造図である。
【図９】最初のサブヘッダの概略構造図である。
【図１０】本出願による実施形態１におけるデータ送信装置の概略構造図である。
【図１１】本出願による実施形態２におけるデータ送信装置の概略構造図である。
【図１２】本出願の実施形態による基地局の概略構造図である。
【図１３】本出願の実施形態による端末の概略構造図である。
【発明を実施するための形態】
【００５４】
以下で、より良い理解を当業者が有するのを助けるために、本出願におけるいくつかの用語について説明する。
【００５５】
（１）端末：端末は、ユーザ機器（Ｕｓｅｒ  Ｅｑｕｉｐｍｅｎｔ、ＵＥ）とも呼ばれ、ユーザに音声および／またはデータ接続性を提供するデバイス、たとえば、ワイヤレス接続機能を有するハンドヘルドデバイスまたは車載型デバイスである。通例の端末は、たとえば、モバイルフォン、タブレットコンピュータ、ノートブックコンピュータ、パームトップコンピュータ、モバイルインターネットデバイス（ｍｏｂｉｌｅ  ｉｎｔｅｒｎｅｔ  ｄｅｖｉｃｅ、ＭＩＤ）、およびスマートウォッチ、スマートバンド、または歩数計などのウェアラブルデバイスを含む。
【００５６】
（２）基地局：基地局は、無線アクセスネットワーク（Ｒａｄｉｏ  Ａｃｃｅｓｓ  Ｎｅｔｗｏｒｋ、ＲＡＮ）デバイスとも呼ばれ、端末をワイヤレスネットワークに接続するデバイスであり、限定はされないが、発展型ノードＢ（ｅｖｏｌｖｅｄ  Ｎｏｄｅ  Ｂ、ｅＮＢ）、無線ネットワークコントローラ（ｒａｄｉｏ  ｎｅｔｗｏｒｋ  ｃｏｎｔｒｏｌｌｅｒ、ＲＮＣ）、ノードＢ（Ｎｏｄｅ  Ｂ、ＮＢ）、基地局コントローラ（Ｂａｓｅ  Ｓｔａｔｉｏｎ  Ｃｏｎｔｒｏｌｌｅｒ、ＢＳＣ）、基地トランシーバ局（Ｂａｓｅ  Ｔｒａｎｓｃｅｉｖｅｒ  Ｓｔａｔｉｏｎ、ＢＴＳ）、ホームｅノードＢ（Ｈｏｍｅ  ｅｖｏｌｖｅｄ  ＮｏｄｅＢまたはＨｏｍｅ  Ｎｏｄｅ  Ｂ、ＨＮＢ）、およびベースバンドユニット（ＢａｓｅＢａｎｄ  Ｕｎｉｔ、ＢＢＵ）を含む。加えて、基地局は、Ｗｉｆｉアクセスポイント（Ａｃｃｅｓｓ  Ｐｏｉｎｔ、ＡＰ）などをさらに含み得る。
【００５７】
（３）「複数の」は、２または２よりも多いを指す。「および／または」という用語は、関連する対象について説明するための関連付け関係を記述し、３つの関係が存在し得ることを表す。たとえば、Ａおよび／またはＢは、Ａのみが存在する、ＡとＢの両方が存在する、およびＢのみが存在するという、３つの場合を表し得る。「／」という文字は、関連する対象の間の「または」関係を概して示す。
【００５８】
本明細書で説明される技術は、様々な通信システム、たとえば、３Ｇおよび４Ｇ通信システムならびに次世代通信システム、たとえば、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、時分割多元接続（Ｔｉｍｅ  Ｄｉｖｉｓｉｏｎ  Ｍｕｌｔｉｐｌｅ  Ａｃｃｅｓｓ、ＴＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ）システム、周波数分割多元接続（Ｆｒｅｑｕｅｎｃｙ  Ｄｉｖｉｓｉｏｎ  Ｍｕｌｔｉｐｌｅ  Ａｄｄｒｅｓｓｉｎｇ、ＦＤＭＡ）システム、直交周波数分割多元接続（Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ、ＯＦＤＭＡ）システム、シングルキャリアＦＤＭＡ（ＳＣ−ＦＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ロングタームエボリューションアドバンスト（ＬＴＥ  Ａｄｖａｎｃｅｄ、ＬＴＥ−Ａ）システム、または別の同様の通信システムに適用され得る。通信システム中のエンティティが別のエンティティと通信する必要がある限り、別のエンティティは、特定の様式でアドバンスデータ送信を解釈する必要がある。
【００５９】
図１は、本出願の実施形態によるデータ送信方法のシステムのアーキテクチャ図である。図１に示されているように、本システムは、基地局２０および端末１０を含む。端末は、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、セッション開始プロトコル（ＳＩＰ）電話、ワイヤレスローカルループ（ＷＬＬ、Ｗｉｒｅｌｅｓｓ  Ｌｏｃａｌ  Ｌｏｏｐ）局、携帯情報端末（ＰＤＡ、Ｐｅｒｓｏｎａｌ  Ｄｉｇｉｔａｌ  Ａｓｓｉｓｔａｎｔ）、またはアクセス端末（Ａｃｃｅｓｓ  Ｔｅｒｍｉｎａｌ）などのデバイスを含み得る。通信システムにおいて、端末１０は、基地局２０にランダムアクセスプリアンブルシーケンスを送る。ランダムアクセスプリアンブルシーケンスを受信した後に、基地局２０は、メディアアクセス制御（Ｍｅｄｉｕｍ  Ａｃｃｅｓｓ  Ｃｏｎｔｒｏｌ、ＭＡＣ）パケットデータユニット（Ｐｒｏｔｏｃｏｌ  Ｄａｔａ  Ｕｎｉｔｓ、ＰＤＵ）を端末に送る。ＭＡＣ  ＰＤＵはタイプ指示フィールドを含み、タイプ指示フィールドは、端末が最初のアップリンク情報中でデータを送信する様式を示すために使用され、端末は、タイプ指示フィールドによって示される様式で最初のアップリンク情報中でデータを送信する。タイプ指示フィールドは、端末が最初のアップリンク情報中でデータを送信する様式を示すか、またはより大きい最大トランスポートブロックサイズを示し得るか、または従来技術におけるものよりも小さいリソース割振りグラニュラリティを示し得、それにより、リソース割振りはよりフレキシブルになる。
【００６０】
以下で、特定の実施形態を使用することによって本出願の技術的解決策について詳細に説明する。以下のいくつかの特定の実施形態は互いに組み合わされてよく、同じまたは同様である概念または処理についていくつかの実施形態では繰り返し説明されないことがある。
【００６１】
図２は、本出願によるデータ送信方法の実施形態１のシグナリングフローチャートである。本出願のこの実施形態はデータ送信方法を提供する。本方法は、データ送信方法を実施するどんな装置によって実施されてもよく、装置は、ソフトウェアおよび／またはハードウェアを使用することによって実装され得る。この実施形態では、装置は基地局に組み込まれてよい。図２に示されているように、この実施形態における方法は以下のステップを含み得る。
【００６２】
ステップ２０１：端末が、基地局にランダムアクセスプリアンブルシーケンスを送る。
【００６３】
ステップ２０２：基地局が、ランダムアクセスプリアンブルシーケンスに基づいてＭＡＣ  ＰＤＵを端末に送る。
【００６４】
ＭＡＣ  ＰＤＵはタイプ指示フィールドを含み、タイプ指示フィールドは、端末が最初のアップリンク情報中でデータを送信する様式を示すために使用される。
【００６５】
特に、ランダムアクセス手順において、端末は、基地局にランダムアクセスプリアンブルシーケンスを送る必要があり、基地局は、受信されたランダムアクセスプリアンブルシーケンスに基づいて端末にランダムアクセス応答（Ｒａｎｄｏｍ  Ａｃｃｅｓｓ  Ｒｅｓｐｏｎｓｅ、ＲＡＲ）を返す。基地局が、同じ時間内に、端末によって送られた複数のランダムアクセスプリアンブルシーケンスを受信した場合、基地局は、端末によって送られた複数のランダムアクセスプリアンブルシーケンスに同時に応答するために、端末にＭＡＣ  ＰＤＵを返す。各ランダムアクセスプリアンブルシーケンスに対する応答は、ＭＡＣ  ＰＤＵ中の１つのＭＡＣ  ＲＡＲに対応する。ＭＡＣ  ＰＤＵは、端末が最初のアップリンク情報中でデータを送信する様式を示すための、タイプ指示フィールドを搬送する。
【００６６】
任意選択で、最初のアップリンク情報は、ＭＡＣ  ＰＤＵ中のＭＡＣ  ＲＡＲに関連付けられたアップリンク情報であり、ランダムアクセス手順における固有情報である。特に、最初のアップリンク情報は物理アップリンク共有チャネル上で搬送され、最初のアップリンク情報は、ＭＡＣ  ＲＡＲの後の１番目のアップリンク情報である。代替として、最初のアップリンク情報は、ランダムアクセス手順におけるメッセージ３である。代替として、最初のアップリンク情報は、ランダムアクセス手順におけるメッセージ３とランダムアクセス手順における競合解消メッセージとの間のアップリンク情報である。代替として、最初のアップリンク情報は、ランダムアクセス手順におけるランダムアクセス応答メッセージと競合解消メッセージとの間のアップリンク情報である。
【００６７】
図３は、ＭＡＣ  ＰＤＵの概略構造図である。図３に示されているように、ＭＡＣ  ＰＤＵは、１つのＭＡＣヘッダ、０個以上のＭＡＣ  ＲＡＲ、および任意選択のパディング部分を含む。ＭＡＣ  ＲＡＲは、ＭＡＣのペイロード部分である。図３に示されているＭＡＣ  ＰＤＵの構造に基づいて、上記のタイプ指示フィールドがＭＡＣ  ＰＤＵ中に配置されるロケーションは、以下の２つの場合を含み得る。
【００６８】
場合１：タイプ指示フィールドがＭＡＣ  ＰＤＵのＭＡＣ  ＲＡＲ中に配置される。
【００６９】
特に、図４は、ＭＡＣ  ＲＡＲの概略構造図である。図４に示されているように、ＭＡＣ  ＲＡＲにおいて、オクテット１（Ｏｃｔ１）は、Ｒおよびタイミングアドバンスコマンド（Ｔｉｍｉｎｇ  Ａｄｖａｎｃｅ  Ｃｏｍｍａｎｄ）を含み、オクテット２（Ｏｃｔ２）は、タイミングアドバンスコマンドおよびアップリンクスケジューリング許可（ＵＬ許可）を含み、オクテット３（Ｏｃｔ３）およびオクテット４（Ｏｃｔ４）は、ＵＬ許可をそれぞれ含み、オクテット５（Ｏｃｔ５）およびオクテット６（Ｏｃｔ６）は、一時的無線ネットワーク識別子（Ｔｅｍｐｏｒａｒｙ  Ｃ−ＲＮＴＩ）フィールドをそれぞれ含む。Ｒは、予約済みビットであり、通常「０」に設定される。タイミングアドバンスコマンドは、ＴＡ（０，１，２，…，および１２８２）のように、タイミングアドバンス値のインデックス値を示し、タイミング調整量を制御するために使用される。タイミングアドバンスコマンドは１１ビットを占有し、ＵＬ許可は、アップリンク送信のために使用されるリソースを示し、一時的Ｃ−ＲＮＴＩは一時的無線ネットワーク一時的識別子を示す。
【００７０】
タイプ指示フィールドがＭＡＣ  ＲＡＲ中に配置されるとき、図４に示されているように、ＭＡＣ  ＲＡＲ中のＯｃｔ１の第１のビットは予約済みビットであるので、タイプ指示フィールドは１ビットを含み、タイプ指示フィールド中に含まれるビットは、ＭＡＣ  ＲＡＲ中の第１のビット、すなわち、図４の予約済みビットＲである。たとえば、予約済みビットＲが１に設定されたとき、言い換えれば、タイプ指示フィールドの値が１であるとき、端末は、第１の様式で最初のアップリンク情報中でデータを送信するように命令され得る。第１の様式は第１のアップリンク許可であり、第１のアップリンク許可は、第１のクエリ様式で、最初のアップリンク情報を送信するためのトランスポートブロックサイズを決定するように端末に命令する。タイプ指示フィールドが０であるとき、タイプ指示フィールドは、第２の様式で最初のアップリンク情報中でデータを送信するように端末に命令する。第２の様式は第２のアップリンク許可であり、第２のアップリンク許可は、第２のクエリ様式で、最初のアップリンク情報を送信するためのトランスポートブロックサイズを決定するように端末に命令する。第１のクエリ様式で端末によって決定される最大トランスポートブロックサイズＴＢＳは、第２のクエリ様式で決定される最大ＴＢＳよりも少ない。加えて、第１のアップリンク許可によって占有されるビットの量と、第２のアップリンク許可によって占有されるビットの量は、同じであり得るか、または異なり得る。第２のアップリンク許可は、第１のアップリンク許可中の特定のフィールドまたはいくつかの特定のフィールドを再解釈することによって取得される許可情報であり、このフィールドは、ＭＣＳまたはＴＢＳの値を示すために使用される。
【００７１】
以下で、第１のクエリ様式について詳細に説明する。表１は、アップリンク許可フィールドの構造を示す。
【００７２】
【表１】
2020528247.tif 000003
【００７３】
タイプ０アップリンクリソース割振り様式は、カバレージレベルＡが構成されるＢＬ／ＣＥ  ＵＥにのみ適用可能である。タイプ０アップリンクリソース割振り様式のリソースインジケータ値は次のように定義される。
【００７４】
【数１】
2020528247.tif 000004
【００７５】
である場合、
【００７６】
【数２】
2020528247.tif 000005
【００７７】
であるか、またはさもなければ、
【００７８】
【数３】
2020528247.tif 000006
【００７９】
である。
【００８０】
本明細書では、
【００８１】
【数４】
2020528247.tif 000007
【００８２】
であり、ＲＢSTARTは開始リソースブロックを示し、ＬCRBs≧１は、割り振られるリソースブロックの長さを示し、ＲＩＶは、リソース割当てフィールド中に含まれるリソースインジケータ値である。
【００８３】
図５は、カバレージレベルＡをもつＢＬ／ＣＥ  ＵＥのタイプ０リソース指示の図である。図５に示されているように、図５の第１の行から第３の行は、可能なリソースインジケータ値（ｒｅｓｏｕｒｃｅ  ｉｎｄｉｃａｔｉｏｎ  ｖａｌｕｅ、ＲＩＶ）であり、割り振られる物理リソースブロック（ｐｈｙｓｉｃａｌ  ｒｅｓｏｕｒｃｅ  ｂｌｏｃｋ、ＰＲＢ）の可能な量は、１、２、３、または６である。
【００８４】
表１によれば、既存のＣＥ  Ｍｍｏｄｅ  Ａでは、Ｍｓｇ３  ＰＵＳＣＨリソース割当てフィールドは、ＲＩＶが０から１５にわたることのみを示すことができる、４ビットを含む。割り振られるＰＲＢの対応する量は、１、２、３、または６である。短縮されたＭＣＳ指示フィールドは３ビットを含み、対応する変調およびコーディング方式（ｍｏｄｕｌａｔｉｏｎ  ｃｏｄｉｎｇ  ｓｃｈｅｍｅ、ＭＣＳ）インデックスは、０から７の値である。表２は、既存のＣＥ  Ｍｍｏｄｅ  ＡにおけるＭｓｇ３のＴＢＳを示す。
【００８５】
【表２】
2020528247.tif 000008
【００８６】
タイプ２アップリンクリソース割振り様式は、カバレージレベルＢが構成されるＢＬ／ＣＥ  ＵＥにのみ適用可能である。
【００８７】
表３は、リソース指示フィールドを示す。
【００８８】
【表３】
2020528247.tif 000009
【００８９】
既存のＣＥモードＢでは、リソース割当てフィールドは３ビットを含むが、３つのＰＲＢと６つのＰＲＢとの２つの場合のみを示す。短縮されたＴＢＳインデックス指示フィールドは、ＴＢＳインデックスが０から３にわたることを示す、２ビットを含む。表４は、既存のＣＥ  Ｍｍｏｄｅ  ＢにおけるＭｓｇ３のＴＢＳを示す。
【００９０】
【表４】
2020528247.tif 000010
【００９１】
表３および表４によれば、既存のＭｓｇ３によってサポートされることが可能な最大ＴＢＳは、モードＡおよびモードＢについてそれぞれ７１２ビットおよび３２８ビットである。端末は、ＭＡＣ  ＲＡＲ中のアップリンク許可フィールド中のＭｓｇ３  ＰＵＳＣＨリソース構成情報に基づいてＮPRBを決定し、ＭＡＣ  ＲＡＲ中のアップリンク許可フィールド中のＴＢＳまたはＭＣＳ情報に基づいてＩTBSを決定し、ＮPRBおよびＩTBSに基づいて表２または表４を照会して、トランスポートブロックサイズ、すなわち、第１のクエリ様式を決定する。決定される最大ＴＢＳは、モードＡおよびモードＢについてそれぞれ７１２ビットおよび３２８ビットである。
【００９２】
以下で、第２のクエリ様式について詳細に説明する。
【００９３】
表２および表４の値が以下では変更される。表５は、ＣＥモードＡが変更されたときのＭｓｇ３のＴＢＳを示す。
【００９４】
【表５】
2020528247.tif 000011
【００９５】
表６は、ＣＥモードＢが変更されたときのＭｓｇ３のＴＢＳを示す。
【００９６】
【表６】
2020528247.tif 000012
【００９７】
端末は、ＭＡＣ  ＲＡＲ中のアップリンク許可フィールド中のＭｓｇ３  ＰＵＳＣＨリソース構成情報に基づいてＮPRBを決定し、ＭＡＣ  ＲＡＲ中のアップリンク許可フィールド中のＴＢＳまたはＭＣＳ情報に基づいてＩTBSを決定し、ＮPRBおよびＩTBSに基づいて表５または表６を照会して、トランスポートブロックサイズ、すなわち、第２のクエリ様式を決定する。決定される最大ＴＢＳは、モードＡおよびモードＢについてそれぞれ９１２ビットおよび８２８ビットである。
【００９８】
この場合、ＣＥモードＡおよびＣＥモードＢによってサポートされることが可能な最大ＴＢサイズは、それぞれ９１２および８２８である。
【００９９】
加えて、図６は、ＭＡＣ  ＲＡＲの別の概略構造図である。図６に示されているように、２／３のカバレージレベルをもつ端末およびカバレージ拡張端末のために、ＭＡＣ  ＲＡＲにおいて、オクテット１（Ｏｃｔ１）は、Ｒおよびタイミングアドバンスコマンド（Ｔｉｍｉｎｇ  Ａｄｖａｎｃｅ  Ｃｏｍｍａｎｄ）を含み、オクテット２（Ｏｃｔ２）は、タイミングアドバンスコマンドおよびアップリンクスケジューリング許可（ＵＬ許可）を含み、オクテット３（Ｏｃｔ３）はＵＬ許可を含み、オクテット４（Ｏｃｔ４）およびオクテット５（Ｏｃｔ５）は、一時的無線ネットワーク識別子（Ｔｅｍｐｏｒａｒｙ  Ｃ−ＲＮＴＩ）フィールドをそれぞれ含む。Ｒは、予約済みビットであり、通常「０」に設定される。タイミングアドバンスコマンドは、ＴＡ（０，１，２，…，および１２８２）のように、タイミングアドバンス値のインデックス値を示し、タイミング調整量を制御するために使用される。タイミングアドバンスコマンドは１１ビットを占有し、ＵＬ許可は、アップリンク送信のために使用されるリソースを示し、一時的Ｃ−ＲＮＴＩは一時的無線ネットワーク一時的識別子を示す。
【０１００】
図１と同様に、タイプ指示フィールドがＭＡＣ  ＲＡＲ中に配置されるとき、図６に示されているように、ＭＡＣ  ＲＡＲ中の第１のビットは予約済みビットであるので、タイプ指示フィールドは１ビットを含み、タイプ指示フィールド中に含まれるビットは、ＭＡＣ  ＲＡＲ中の第１のビット、すなわち、図６の予約済みビットＲである。
【０１０１】
可能な実装では、予約済みビットＲが１に設定されたとき、言い換えれば、タイプ指示フィールドの値が１であるとき、端末は、第１の様式で最初のアップリンク情報中でデータを送信するように命令される。第１の様式は第１のアップリンク許可である。タイプ指示フィールドが０であるとき、タイプ指示フィールドは、端末が第２の様式で最初のアップリンク情報中でデータを送信することを示す。第２の様式は第２のアップリンク許可である。第１のアップリンク許可および第２のアップリンク許可は、タイプ指示フィールドがＯｃｔ１の第１のビット中に配置されたときに生成されるものと同様である。詳細について本明細書で再び説明されない。加えて、第１のアップリンク許可によって占有されるビットの量と、第２のアップリンク許可によって占有されるビットの量は、同じであり得るか、または異なり得る。第２のアップリンク許可は、第１のアップリンク許可中の特定のフィールドまたはいくつかの特定のフィールドを再解釈することによって取得される許可情報であり、このフィールドは、ＭＣＳまたはＴＢＳの値を示すために使用される。
【０１０２】
可能な実装では、タイプ指示フィールドが１であるとき、タイプ指示フィールドは、端末が第３の様式で最初のアップリンク情報中でデータを送信することを示す。第３の様式は第３のアップリンク許可である。タイプ指示フィールドが０であるとき、タイプ指示フィールドは、端末が第４の様式で最初のアップリンク情報中でデータを送信することを示す。第４の様式は第４のアップリンク許可である。第３のアップリンク許可は、端末が物理リソースブロックのユニットでリソースを割り振ることを示し、第３のアップリンク許可を使用することによって割り振られるリソースは、１つの物理リソースブロック以上である。第４のアップリンク許可を使用することによって割り振られるリソースは、１つの物理リソースブロックよりも少ない。加えて、第３のアップリンク許可によって占有されるビットの量と、第４のアップリンク許可によって占有されるビットの量は、同じであり得るか、または異なり得る。第３のアップリンク許可は、第４のアップリンク許可中の特定のフィールドまたはいくつかの特定のフィールドを再解釈することによって取得される許可情報であり、このフィールドは、リソース割振り情報を示すために使用される。
【０１０３】
可能な実装では、タイプ指示フィールドが１であるとき、タイプ指示フィールドは、端末が第５の様式で最初のアップリンク情報中でデータを送信することを示す。第５の様式は第２のアップリンク許可である。タイプ指示フィールドが０であるとき、タイプ指示フィールドは、端末が第６の様式で最初のアップリンク情報中でデータを送信することを示す。第６の様式は第４のアップリンク許可である。第２のアップリンク許可は、端末が、第２のクエリ様式で、最初のアップリンク情報を送信するためのトランスポートブロックサイズを決定することを示し、第４のアップリンク許可を使用することによって割り振られるリソースは、１つの物理リソースブロックよりも少ない。
【０１０４】
加えて、図７は、ＭＡＣ  ＲＡＲの別の概略構造図である。図７に示されているように、狭帯域モノのインターネット端末のために、ＭＡＣ  ＲＡＲにおいて、オクテット１（Ｏｃｔ１）は、予約済みビットＲおよびタイミングアドバンスコマンド（Ｔｉｍｉｎｇ  Ａｄｖａｎｃｅ  Ｃｏｍｍａｎｄ）を含み、オクテット２（Ｏｃｔ２）は、タイミングアドバンスコマンドおよびアップリンクスケジューリング許可（ＵＬ許可）を含み、オクテット３（Ｏｃｔ３）はＵＬ許可を含み、オクテット４（Ｏｃｔ４）は、ＵＬ許可および予約済みビットＲを含み、オクテット５（Ｏｃｔ５）およびオクテット６（Ｏｃｔ６）は、一時的無線ネットワーク識別子（Ｔｅｍｐｏｒａｒｙ  Ｃ−ＲＮＴＩ）フィールドをそれぞれ含む。Ｒは、予約済みビットであり、通常「０」に設定される。タイミングアドバンスコマンドは、ＴＡ（０，１，２，…，および１２８２）のように、タイミングアドバンス値のインデックス値を示し、タイミング調整量を制御するために使用される。タイミングアドバンスコマンドは１１ビットを占有し、ＵＬ許可は、アップリンク送信のために使用されるリソースを示し、一時的Ｃ−ＲＮＴＩは一時的無線ネットワーク一時的識別子を示す。
【０１０５】
タイプ指示フィールドがＭＡＣ  ＲＡＲ中に配置されるとき、図７に示されているように、ＭＡＣ  ＲＡＲ中のＯｃｔ１とＯｃｔ４の両方が予約済みビットＲを含むので、タイプ指示フィールド中に含まれるビットは、ＭＡＣ  ＲＡＲ中の第１のビットであり得るか、またはＭＡＣ  ＲＡＲ中の第１、第２８、第２９、第３０、第３１、もしくは第３２のビット、すなわち、図７のＯｃｔ１もしくはＯｃｔ４中の予約済みビットＲのうちの少なくとも１つであり得る。
【０１０６】
可能な実装では、タイプ指示フィールド中に含まれるビットが、ＭＡＣ  ＲＡＲ中の第１のビットであるとき、端末は、Ｏｃｔ１中のＲが１に設定されたときまたはＯｃｔ４中のＲが１に設定されたとき、第１の様式で最初のアップリンク情報中でデータを送信するように命令される。第１の様式は第１のアップリンク許可である。タイプ指示フィールドが０であるとき、タイプ指示フィールドは、端末が第２の様式で最初のアップリンク情報中でデータを送信することを示す。第２の様式は第２のアップリンク許可である。加えて、第１のアップリンク許可によって占有されるビットの量と、第２のアップリンク許可によって占有されるビットの量は、同じであり得るか、または異なり得る。第２のアップリンク許可は、第１のアップリンク許可中の特定のフィールドまたはいくつかの特定のフィールドを再解釈することによって取得される許可情報であり、このフィールドは、ＭＣＳまたはＴＢＳの値を示すために使用される。
【０１０７】
可能な実装では、タイプ指示フィールドが１であるとき、タイプ指示フィールドは、端末が第３の様式で最初のアップリンク情報中でデータを送信することを示す。第３の様式は第３のアップリンク許可である。タイプ指示フィールドが０であるとき、タイプ指示フィールドは、端末が第４の様式で最初のアップリンク情報中でデータを送信することを示す。第４の様式は第４のアップリンク許可である。第３のアップリンク許可は、端末が物理リソースブロックのユニットでリソースを割り振ることを示し、第３のアップリンク許可を使用することによって割り振られるリソースは、１つの物理リソースブロック以上である。第４のアップリンク許可を使用することによって割り振られるリソースは、１つの物理リソースブロックよりも少ない。加えて、第３のアップリンク許可によって占有されるビットの量と、第４のアップリンク許可によって占有されるビットの量は、同じであり得るか、または異なり得る。第３のアップリンク許可は、第４のアップリンク許可中の特定のフィールドまたはいくつかの特定のフィールドを再解釈することによって取得される許可情報であり、このフィールドは、リソース割振り情報を示すために使用される。
【０１０８】
可能な実装では、タイプ指示フィールドが１であるとき、タイプ指示フィールドは、端末が第５の様式で最初のアップリンク情報中でデータを送信することを示す。第５の様式は第２のアップリンク許可である。タイプ指示フィールドが０であるとき、タイプ指示フィールドは、端末が第６の様式で最初のアップリンク情報中でデータを送信することを示す。第６の様式は第４のアップリンク許可である。第２のアップリンク許可は、端末が、第２のクエリ様式で、最初のアップリンク情報を送信するためのトランスポートブロックサイズを決定することを示し、第４のアップリンク許可を使用することによって割り振られるリソースは、１つの物理リソースブロックよりも少ない。
【０１０９】
この実施形態では、ＭＡＣ  ＲＡＲ中の予約済みビットは、端末が最初のアップリンク情報中でデータを送信する様式を示すために、タイプ指示フィールドとして使用される。このようにして、端末は、ネットワークシグナリングオーバーヘッドを低減するために、ＭＡＣ  ＰＤＵオーバーヘッドを増加させることなしに命令される。
【０１１０】
場合２：タイプ指示フィールドがＭＡＣ  ＰＤＵのＭＡＣヘッダ中に配置される。
【０１１１】
任意選択の実装では、まだ図３を参照すると、ＭＡＣ  ＰＤＵ中の１つのＭＡＣ  ＲＡＲは、ＭＡＣ  ＰＤＵのＭＡＣヘッダ中の１つのサブヘッダに対応し、たとえば、ＭＡＣ  ＲＡＲ１はサブヘッダ１に対応し、ＭＡＣ  ＲＡＲ２はサブヘッダ２に対応する。図８は、サブヘッダの概略構造図である。図８に示されているように、サブヘッダは、ＭＡＣヘッダ中の第ｍのサブヘッダであり得、ｍは２以上の正の整数である。サブヘッダは８ビットを含み、サブヘッダ中の第１のビットＥは延長フィールドであり、サブヘッダ中の第２のビットＴはタイプ指示フィールドであり、サブヘッダ中の第３のビットから第８のビットＲＡＰＩＤは、ランダムアクセスプリアンブル識別子を示すために使用される。
【０１１２】
延長フィールドＥは、ＭＡＣヘッダがより多くのサブヘッダを含むかどうかを示すために使用される。たとえば、「Ｅ」が「１」に設定された場合、それは、サブヘッダの後に少なくとも別のサブヘッダがあることを示す。「Ｅ」が「０」に設定された場合、それは、サブヘッダの後のバイトがＭＡＣ  ＲＡＲまたはパディングコンテンツであることを示す。ＲＡＰＩＤは、ランダムアクセスシーケンスを示すかまたは決定するために使用される。ＲＡＰＩＤは６ビットを占有する。タイプ指示フィールドＴは、端末が最初のアップリンク情報中でデータを送信する様式を示すために使用される。
【０１１３】
任意選択の実装では、タイプ指示フィールドＴが０に設定されたとき、タイプ指示フィールドは、端末が第７の様式で最初のアップリンク情報中でデータを送信することを示す。第７の様式は第１のアップリンク許可である。タイプ指示フィールドが１であるとき、タイプ指示フィールドは、端末が第８の様式で最初のアップリンク情報中でデータを送信することを示す。第８の様式は第２のアップリンク許可である。第１のアップリンク許可中に含まれるビットの量は、第２のアップリンク許可中に含まれるビットの量と同じである。第１のアップリンク許可は、端末が、第１のクエリ様式で、最初のアップリンク情報を送信するためのトランスポートブロックサイズを決定することを示し、第２のアップリンク許可は、端末が、第２のクエリ様式で、最初のアップリンク情報を送信するためのトランスポートブロックサイズを決定することを示し、第１のクエリ様式で決定される最大トランスポートブロックサイズＴＢＳは、第２のクエリ様式で決定される最大ＴＢＳよりも少ない。加えて、第１のアップリンク許可によって占有されるビットの量と、第２のアップリンク許可によって占有されるビットの量は、同じであり得るか、または異なり得る。第２のアップリンク許可は、第１のアップリンク許可中の特定のフィールドまたはいくつかの特定のフィールドを再解釈することによって取得される許可情報であり、このフィールドは、ＭＣＳまたはＴＢＳの値を示すために使用される。
【０１１４】
任意選択の実装では、タイプ指示フィールドが０であるとき、タイプ指示フィールドは、端末が第９の様式で最初のアップリンク情報中でデータを送信することを示す。第９の様式は第３のアップリンク許可である。タイプ指示フィールドが１であるとき、タイプ指示フィールドは、端末が第１０の様式で最初のアップリンク情報中でデータを送信することを示す。第１０の様式は第４のアップリンク許可である。第３のアップリンク許可中に含まれるビットの量は、第４のアップリンク許可中に含まれるビットの量と同じである。第３のアップリンク許可は、端末が物理リソースブロックのユニットでリソースを割り振ることを示し、第３のアップリンク許可を使用することによって割り振られるリソースは、１つの物理リソースブロック以上である。第４のアップリンク許可を使用することによって割り振られるリソースは、１つの物理リソースブロックよりも少ない。加えて、第３のアップリンク許可によって占有されるビットの量と、第４のアップリンク許可によって占有されるビットの量は、同じであり得るか、または異なり得る。第３のアップリンク許可は、第４のアップリンク許可中の特定のフィールドまたはいくつかの特定のフィールドを再解釈することによって取得される許可情報であり、このフィールドは、リソース割振り情報を示すために使用される。
【０１１５】
任意選択の実装では、タイプ指示フィールドが０であるとき、タイプ指示フィールドは、端末が第１１の様式で最初のアップリンク情報中でデータを送信することを示す。第１１の様式は第２のアップリンク許可である。タイプ指示フィールドが１であるとき、タイプ指示フィールドは、端末が第１２の様式で最初のアップリンク情報中でデータを送信することを示す。第１２の様式は第４のアップリンク許可である。第２のアップリンク許可中に含まれるビットの量は、第４のアップリンク許可中に含まれるビットの量と同じである。第２のアップリンク許可は、端末が、第２のクエリ様式で、最初のアップリンク情報を送信するためのトランスポートブロックサイズを決定することを示し、第４のアップリンク許可を使用することによって割り振られるリソースは、１つの物理リソースブロックよりも少ない。
【０１１６】
別の任意選択の実装では、ＭＡＣ  ＰＤＵのＭＡＣヘッダは、Ｌ個の最初のサブヘッダを含み、各最初のサブヘッダは、ｎ個のタイプ指示フィールドを含み、各タイプ指示フィールドは、ＭＡＣ  ＰＤＵ中の１つのＭＡＣ  ＲＡＲに対応し、ｎは正の整数であり、Ｌは１以上の正の整数である。
【０１１７】
特に、図９は、最初のサブヘッダの概略構造図である。図９に示されているように、各最初のサブヘッダは、ｎ個のタイプ指示フィールドを含み、各タイプ指示フィールドは、ＭＡＣ  ＰＤＵ中の１つのＭＡＣ  ＲＡＲに対応する。たとえば、Ｄ１はＭＡＣ  ＲＡＲ１に対応し、Ｄ２はＭＡＣ  ＲＡＲ２に対応する。
【０１１８】
図９に示されているように、延長フィールドＥは、ＭＡＣヘッダがより多くのサブヘッダを含むかどうかを示すために使用される。たとえば、「Ｅ」が「１」に設定された場合、それは、サブヘッダの後に少なくとも別のサブヘッダがあることを示す。「Ｅ」が「０」に設定された場合、それは、サブヘッダの後のバイトがＭＡＣ  ＲＡＲまたはパディングコンテンツであることを示す。タイプフィールドＴは、最初のサブヘッダ中の第３のビットから第８のビットがタイプ指示フィールドとして構成されることを示すために使用される。最初のサブヘッダ中のＤ１からＤｎはタイプ指示フィールドとして使用されてよく、これらｎ個のタイプ指示フィールドは、端末が最初のアップリンク情報中でデータを送信する様式を示す。
【０１１９】
可能な実装では、Ｄ１が１に設定されたとき、端末は、第１の様式で最初のアップリンク情報中でデータを送信するように命令される。第１の様式は第１のアップリンク許可である。タイプ指示フィールドが０であるとき、タイプ指示フィールドは、端末が第２の様式で最初のアップリンク情報中でデータを送信することを示す。第２の様式は第２のアップリンク許可である。加えて、第１のアップリンク許可によって占有されるビットの量と、第２のアップリンク許可によって占有されるビットの量は、同じであり得るか、または異なり得る。第２のアップリンク許可は、第１のアップリンク許可中の特定のフィールドまたはいくつかの特定のフィールドを再解釈することによって取得される許可情報であり、このフィールドは、ＭＣＳまたはＴＢＳの値を示すために使用される。
【０１２０】
可能な実装では、タイプ指示フィールドが１であるとき、タイプ指示フィールドは、端末が第３の様式で最初のアップリンク情報中でデータを送信することを示す。第３の様式は第３のアップリンク許可である。タイプ指示フィールドが０であるとき、タイプ指示フィールドは、端末が第４の様式で最初のアップリンク情報中でデータを送信することを示す。第４の様式は第４のアップリンク許可である。加えて、第３のアップリンク許可によって占有されるビットの量と、第４のアップリンク許可によって占有されるビットの量は、同じであり得るか、または異なり得る。第３のアップリンク許可は、第４のアップリンク許可中の特定のフィールドまたはいくつかの特定のフィールドを再解釈することによって取得される許可情報であり、このフィールドは、リソース割振り情報を示すために使用される。
【０１２１】
可能な実装では、タイプ指示フィールドが１であるとき、タイプ指示フィールドは、端末が第５の様式で最初のアップリンク情報中でデータを送信することを示す。第５の様式は第２のアップリンク許可である。タイプ指示フィールドが０であるとき、タイプ指示フィールドは、端末が第６の様式で最初のアップリンク情報中でデータを送信することを示す。第６の様式は第４のアップリンク許可である。
【０１２２】
可能な実装では、タイプ指示フィールドが０であるとき、タイプ指示フィールドは、端末が第７の様式で最初のアップリンク情報中でデータを送信することを示す。第７の様式は第１のアップリンク許可である。タイプ指示フィールドが１であるとき、タイプ指示フィールドは、端末が第８の様式で最初のアップリンク情報中でデータを送信することを示す。第８の様式は第２のアップリンク許可である。加えて、第１のアップリンク許可によって占有されるビットの量と、第２のアップリンク許可によって占有されるビットの量は、同じであり得るか、または異なり得る。第２のアップリンク許可は、第１のアップリンク許可中の特定のフィールドまたはいくつかの特定のフィールドを再解釈することによって取得される許可情報であり、このフィールドは、ＭＣＳまたはＴＢＳの値を示すために使用される。
【０１２３】
可能な実装では、タイプ指示フィールドが０であるとき、タイプ指示フィールドは、端末が第９の様式で最初のアップリンク情報中でデータを送信することを示す。第９の様式は第３のアップリンク許可である。タイプ指示フィールドが１であるとき、タイプ指示フィールドは、端末が第１０の様式で最初のアップリンク情報中でデータを送信することを示す。第１０の様式は第４のアップリンク許可である。加えて、第３のアップリンク許可によって占有されるビットの量と、第４のアップリンク許可によって占有されるビットの量は、同じであり得るか、または異なり得る。第３のアップリンク許可は、第４のアップリンク許可中の特定のフィールドまたはいくつかの特定のフィールドを再解釈することによって取得される許可情報であり、このフィールドは、リソース割振り情報を示すために使用される。
【０１２４】
可能な実装では、タイプ指示フィールドが０であるとき、タイプ指示フィールドは、端末が第１１の様式で最初のアップリンク情報中でデータを送信することを示す。第１１の様式は第２のアップリンク許可である。タイプ指示フィールドが１であるとき、タイプ指示フィールドは、端末が第１２の様式で最初のアップリンク情報中でデータを送信することを示す。第１２の様式は第４のアップリンク許可である。
【０１２５】
Ｄ２、Ｄ３、．．．、およびＤｎの指示様式は、Ｄ１の指示様式と同様である。詳細について本明細書で再び説明されない。
【０１２６】
任意選択で、図９に示されているように、各最初のサブヘッダは８ビットを含み、各最初のサブヘッダの第１のビットは延長フィールドＥであり、第２のビットはタイプフィールドＴであり、タイプフィールドＴは、最初のサブヘッダ中の第３のビットから第８のビットがタイプ指示フィールドとして構成されることを示すために使用される。
【０１２７】
特に、延長フィールドＥの機能は、図８の延長フィールドの機能と同様である。詳細について本明細書で再び説明されない。サブヘッダのタイプフィールドＴが０に設定されたとき、サブヘッダの第３のビットから第８のビットの各々は、１つのタイプ指示フィールドに対応する。言い換えれば、Ｄ１からＤｎは、端末が最初のアップリンク情報中でデータを送信する様式を示すために別々に使用される。
【０１２８】
加えて、任意選択で、Ｌ個の最初のサブヘッダは、ＭＡＣヘッダ中の最後のＬ個のサブヘッダであってよく、Ｌ個の最初のサブヘッダは、ＭＡＣヘッダ中の最初のサブヘッダを含まないか、またはＬ個の最初のサブヘッダは、最初のサブヘッダ以外のＭＡＣヘッダ中の最初のＬ個のサブヘッダである。
【０１２９】
ＭＡＣヘッダは、サブヘッダを示すためのバックオフを含み得る。この場合、バックオフを含むサブヘッダは、ＭＡＣヘッダ中の最初のサブヘッダである。したがって、Ｌ個の最初のサブヘッダは、ＭＡＣヘッダ中の最後のＬ個のサブヘッダであってよく、Ｌ個の最初のサブヘッダは、ＭＡＣヘッダ中の最初のサブヘッダを含まないか、または最初のサブヘッダ以外のＭＡＣヘッダ中の最初のＬ個のサブヘッダであり得る。
【０１３０】
任意選択で、端末の物理ランダムアクセスチャネルが第１のモードを使用するとき、端末は、第１３の様式もしくは第１４の様式で最初のアップリンク情報中でデータを送信し、第１３の様式は第１のアップリンク許可であり、第１４の様式は第２のアップリンク許可であり、および／または端末の物理ランダムアクセスチャネルが第２のモードを使用するとき、端末は、第１５の様式もしくは第１６の様式で最初のアップリンク情報中でデータを送信し、第１５の様式は第３のアップリンク許可であり、第１６の様式は第４のアップリンク許可である。第１のモードは、カバレージ拡張レベル０、カバレージ拡張レベル１、およびカバレージ拡張モードＡのうちの１つまたは複数であり、第２のモードは、カバレージ拡張レベル２、カバレージ拡張レベル３、およびカバレージ拡張モードＢのうちの１つまたは複数である。
【０１３１】
特に、上記の説明と同様に、第１のアップリンク許可は、端末が、第１のクエリ様式で、最初のアップリンク情報を送信するためのトランスポートブロックサイズを決定することを示す。第２のアップリンク許可は、端末が、第２のクエリ様式で、最初のアップリンク情報を送信するためのトランスポートブロックサイズを決定することを示す。第３のアップリンク許可は、端末が物理リソースブロックのユニットでリソースを割り振ることを示し、第３のアップリンク許可を使用することによって割り振られるリソースは、１つの物理リソースブロック以上である。第４のアップリンク許可を使用することによって割り振られるリソースは、１つの物理リソースブロックよりも少ない。第１のクエリ様式で決定される最大トランスポートブロックサイズＴＢＳは、第２のクエリ様式で決定される最大ＴＢＳよりも少ない。
【０１３２】
任意選択で、最初のサブヘッダ中の第ｘのタイプ指示フィールドは、ＭＡＣ  ＰＤＵ中の第ｘのＭＡＣ  ＲＡＲに対応し、ｘは正の整数である。
【０１３３】
たとえば、ＭＡＣヘッダ中に合計で５つの最初のサブヘッダがある場合、各最初のサブヘッダの第１のビットおよび第２のビットはそれぞれ延長フィールドおよびタイプフィールドであるので、各最初のサブヘッダの第１のビットおよび第２のビット以外の３０個のタイプ指示フィールドに対応する合計３０ビットがある。３０ビットのうちの第１のビットは、第１のＭＡＣ  ＲＡＲに対応し、３０ビットのうちの第２のビットは、第２のＭＡＣ  ＲＡＲに対応し、以下同様である。
【０１３４】
この実施形態では、端末が最初のアップリンク情報中でデータを送信する様式は、ＭＡＣヘッダ中の最初のサブヘッダのフィールドを使用することによって示され、それにより、端末はより容易に命令される。
【０１３５】
本出願のこの実施形態において提供されるデータ送信方法によれば、基地局は、端末によって送られたランダムアクセスプリアンブルシーケンスを受信し、ランダムアクセスプリアンブルシーケンスに基づいてＭＡＣ  ＰＤＵを端末に送る。ＭＡＣ  ＰＤＵはタイプ指示フィールドを含み、タイプ指示フィールドは、端末が最初のアップリンク情報中でデータを送信する様式を示すために使用される。ＭＡＣ  ＰＤＵ中のタイプ指示フィールドは、端末が最初のアップリンク情報中でデータを送信する様式を示すために使用され得るか、または既存のトランスポートブロックサイズよりも大きいトランスポートブロックを示し得るか、または従来技術におけるものよりも小さいリソース割振りグラニュラリティを示し得、それにより、リソース割振りはよりフレキシブルになる。このようにして、ランダムアクセス手順において送られるユーザデータの遅延は低減され、データブロックはより大きくなり、リソース割振りはよりフレキシブルになる。
【０１３６】
図１０は、本出願による実施形態１におけるデータ送信装置の概略構造図である。本装置は基地局中に配置され得る。図１０を参照すると、本装置は、受信ユニット１１および送りユニット１２を含む。
【０１３７】
受信ユニット１１は、端末によって送られたランダムアクセスプリアンブルシーケンスを受信するように構成される。
【０１３８】
送りユニット１２は、ランダムアクセスプリアンブルシーケンスに基づいて端末にメディアアクセス制御ＭＡＣパケットデータユニットＰＤＵを送るように構成され、ＭＡＣ  ＰＤＵはタイプ指示フィールドを含み、タイプ指示フィールドは、端末が最初のアップリンク情報中でデータを送信する様式を示すために使用される。
【０１３９】
任意選択で、タイプ指示フィールドは、ＭＡＣ  ＰＤＵのＭＡＣランダムアクセス応答ＲＡＲ中に配置される。
【０１４０】
任意選択で、タイプ指示フィールドは、ＭＡＣ  ＰＤＵのＭＡＣヘッダ中に配置される。
【０１４１】
任意選択で、タイプ指示フィールドは１ビットを含み、タイプ指示フィールド中に含まれるビットは、ＭＡＣ  ＲＡＲ中の第１のビットであるか、または
タイプ指示フィールド中に含まれるビットは、ＭＡＣ  ＲＡＲ中の第１、第２８、第２９、第３０、第３１、もしくは第３２のビットのうちの少なくとも１つである。
【０１４２】
任意選択で、ＭＡＣ  ＰＤＵ中の１つのＭＡＣ  ＲＡＲは、ＭＡＣ  ＰＤＵのＭＡＣヘッダ中の１つのサブヘッダに対応し、サブヘッダは８ビットを含み、サブヘッダは、ＭＡＣヘッダ中の第ｍのサブヘッダであり、ｍは２以上の正の整数であり、サブヘッダ中の第１のビットは延長フィールドであり、サブヘッダ中の第２のビットはタイプ指示フィールドであり、サブヘッダ中の第３のビットから第８のビットは、ランダムアクセスプリアンブル識別子を示すために使用される。
【０１４３】
任意選択で、ＭＡＣ  ＰＤＵのＭＡＣヘッダは、Ｌ個の最初のサブヘッダを含み、各最初のサブヘッダは、ｎ個のタイプ指示フィールドを含み、各タイプ指示フィールドは、ＭＡＣ  ＰＤＵ中の１つのＭＡＣ  ＲＡＲに対応し、ｎは正の整数であり、Ｌは１以上の正の整数である。
【０１４４】
任意選択で、Ｌ個の最初のサブヘッダは、ＭＡＣヘッダ中の最後のＬ個のサブヘッダであり、Ｌ個の最初のサブヘッダは、ＭＡＣヘッダ中の最初のサブヘッダを含まないか、または
Ｌ個の最初のサブヘッダは、最初のサブヘッダ以外のＭＡＣヘッダ中の最初のＬ個のサブヘッダである。
【０１４５】
任意選択で、各最初のサブヘッダは８ビットを含み、各最初のサブヘッダ中の第１のビットは延長フィールドであり、第２のビットはタイプフィールドであり、タイプフィールドは、最初のサブヘッダ中の第３のビットから第８のビットがタイプ指示フィールドとして構成されることを示すために使用される。
【０１４６】
サブヘッダのタイプフィールドが０に設定された場合、サブヘッダの第３のビットから第８のビットの各々は、１つのタイプ指示フィールドに対応する。
【０１４７】
任意選択で、最初のサブヘッダ中の第ｘのタイプ指示フィールドは、ＭＡＣ  ＰＤＵ中の第ｘのＭＡＣ  ＲＡＲに対応し、ｘは正の整数である。
【０１４８】
任意選択で、タイプ指示フィールドが１であるとき、タイプ指示フィールドは、端末が第１の様式で最初のアップリンク情報中でデータを送信することを示し、第１の様式は第１のアップリンク許可であるか、もしくはタイプ指示フィールドが０であるとき、タイプ指示フィールドは、端末が第２の様式で最初のアップリンク情報中でデータを送信することを示し、第２の様式は第２のアップリンク許可であるか、または
タイプ指示フィールドが１であるとき、タイプ指示フィールドは、端末が第３の様式で最初のアップリンク情報中でデータを送信することを示し、第３の様式は第３のアップリンク許可であるか、もしくはタイプ指示フィールドが０であるとき、タイプ指示フィールドは、端末が第４の様式で最初のアップリンク情報中でデータを送信することを示し、第４の様式は第４のアップリンク許可であるか、または
タイプ指示フィールドが１であるとき、タイプ指示フィールドは、端末が第５の様式で最初のアップリンク情報中でデータを送信することを示し、第５の様式は第２のアップリンク許可であるか、もしくはタイプ指示フィールドが０であるとき、タイプ指示フィールドは、端末が第６の様式で最初のアップリンク情報中でデータを送信することを示し、第６の様式は第４のアップリンク許可であり、
第１のアップリンク許可は、端末が、第１のクエリ様式で、最初のアップリンク情報を送信するためのトランスポートブロックサイズを決定することを示し、第２のアップリンク許可は、端末が、第２のクエリ様式で、最初のアップリンク情報を送信するためのトランスポートブロックサイズを決定することを示し、第３のアップリンク許可は、端末が物理リソースブロックのユニットでリソースを割り振ることを示し、第３のアップリンク許可を使用することによって割り振られるリソースは、１つの物理リソースブロック以上であり、第４のアップリンク許可を使用することによって割り振られるリソースは、１つの物理リソースブロックよりも少なく、第１のクエリ様式で決定される最大トランスポートブロックサイズＴＢＳは、第２のクエリ様式で決定される最大ＴＢＳよりも少ない。
【０１４９】
任意選択で、タイプ指示フィールドが０であるとき、タイプ指示フィールドは、端末が第７の様式で最初のアップリンク情報中でデータを送信することを示し、第７の様式は第１のアップリンク許可であるか、もしくはタイプ指示フィールドが１であるとき、タイプ指示フィールドは、端末が第８の様式で最初のアップリンク情報中でデータを送信することを示し、第８の様式は第２のアップリンク許可であるか、または
タイプ指示フィールドが０であるとき、タイプ指示フィールドは、端末が第９の様式で最初のアップリンク情報中でデータを送信することを示し、第９の様式は第３のアップリンク許可であるか、もしくはタイプ指示フィールドが１であるとき、タイプ指示フィールドは、端末が第１０の様式で最初のアップリンク情報中でデータを送信することを示し、第１０の様式は第４のアップリンク許可であるか、または
タイプ指示フィールドが０であるとき、タイプ指示フィールドは、端末が第１１の様式で最初のアップリンク情報中でデータを送信することを示し、第１１の様式は第２のアップリンク許可であるか、もしくはタイプ指示フィールドが１であるとき、タイプ指示フィールドは、端末が第１２の様式で最初のアップリンク情報中でデータを送信することを示し、第１２の様式は第４のアップリンク許可であり、
第１のアップリンク許可は、端末が、第１のクエリ様式で、最初のアップリンク情報を送信するためのトランスポートブロックサイズを決定することを示し、第２のアップリンク許可は、端末が、第２のクエリ様式で、最初のアップリンク情報を送信するためのトランスポートブロックサイズを決定することを示し、第３のアップリンク許可は、端末が物理リソースブロックのユニットでリソースを割り振ることを示し、第３のアップリンク許可を使用することによって割り振られるリソースは、１つの物理リソースブロック以上であり、第４のアップリンク許可を使用することによって割り振られるリソースは、１つの物理リソースブロックよりも少なく、第１のクエリ様式で決定される最大トランスポートブロックサイズＴＢＳは、第２のクエリ様式で決定される最大ＴＢＳよりも少ない。
【０１５０】
任意選択で、端末の物理ランダムアクセスチャネルが第１のモードを使用するとき、端末は、第１３の様式もしくは第１４の様式で最初のアップリンク情報中でデータを送信し、第１３の様式は第１のアップリンク許可であり、第１４の様式は第２のアップリンク許可であり、および／または
端末の物理ランダムアクセスチャネルが第２のモードを使用するとき、端末は、第１５の様式もしくは第１６の様式で最初のアップリンク情報中でデータを送信し、第１５の様式は第３のアップリンク許可であり、第１６の様式は第４のアップリンク許可であり、
第１のモードは、カバレージ拡張レベル０、カバレージ拡張レベル１、およびカバレージ拡張モードＡのうちの１つまたは複数であり、第２のモードは、カバレージ拡張レベル２、カバレージ拡張レベル３、およびカバレージ拡張モードＢのうちの１つまたは複数である。
【０１５１】
任意選択で、最初のアップリンク情報は、ＭＡＣ  ＰＤＵ中のＭＡＣ  ＲＡＲに関連付けられたアップリンク情報であるか、または
最初のアップリンク情報は物理アップリンク共有チャネル上で搬送され、最初のアップリンク情報は、ＭＡＣ  ＲＡＲの後の１番目のアップリンク情報であるか、または
最初のアップリンク情報は、ランダムアクセス手順におけるメッセージ３であるか、または
最初のアップリンク情報は、ランダムアクセス手順におけるメッセージ３とランダムアクセス手順における競合解消メッセージとの間のアップリンク情報であるか、または
最初のアップリンク情報は、ランダムアクセス手順におけるランダムアクセス応答メッセージと競合解消メッセージとの間のアップリンク情報である。
【０１５２】
本装置は、対応する方法実施形態において提供される方法を実施するように構成され得る。特定の実装および技術的効果は同様であり、詳細について本明細書で再び説明されない。
【０１５３】
データ送信装置の上記のユニットの分割は、論理機能の分割にすぎないことに留意されたい。実際の実装では、ユニットの全部または一部は、１つの物理エンティティに組み込まれ得るか、または物理的に分離され得る。加えて、これらのユニットは、処理要素を使用することによって呼び出されるソフトウェアの形態ですべて実装され得るか、もしくはハードウェアの形態ですべて実装され得るか、またはいくつかのユニットは、処理要素を使用することによって呼び出されるソフトウェアの形態で実装され得、いくつかのユニットは、ハードウェアの形態で実装され得る。たとえば、送りユニットは、独立して配設された処理要素であり得るか、または実装のために基地局のチップに組み込まれ得る。加えて、送りユニットは、プログラムとして基地局のメモリに記憶されてよく、基地局の処理要素が送りユニットの機能を呼び出し、実行する。他のユニットの実装はこれと同様である。加えて、これらのユニットの全部または一部は、一体化され得るか、または別々に実装され得る。処理要素は集積回路であってよく、信号処理能力を有する。実装処理において、上記の方法または上記のユニットにおけるステップは、処理要素中のハードウェア集積論理回路を使用することによって、またはソフトウェアの形態の命令を使用することによって実装され得る。加えて、送りユニットは、制御送りユニットであり、アンテナおよび無線周波数装置などの基地局の送り装置を使用することによって、端末によって送られた情報を受信し得る。
【０１５４】
上記のユニットは、上記の方法を実装するための１つまたは複数の集積回路、たとえば、１つもしくは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つもしくは複数のマイクロプロセッサ（ｄｉｇｉｔａｌ  ｓｉｇｎａｌ  ｐｒｏｃｅｓｓｏｒ、ＤＳＰ）、または１つもしくは複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）として構成され得る。別の例では、ユニットのうちの１つが、処理要素によってスケジュールされるプログラムの形態で実装されたとき、処理要素は、汎用プロセッサ、たとえば、中央処理ユニット（Ｃｅｎｔｒａｌ  Ｐｒｏｃｅｓｓｉｎｇ  Ｕｎｉｔ、ＣＰＵ）、またはプログラムを呼び出すことができる別のプロセッサであり得る。別の例では、これらのユニットは、互いに一体化され、システムオンチップ（ｓｙｓｔｅｍ−ｏｎ−ａ−ｃｈｉｐ、ＳＯＣ）の形態で実装され得る。
【０１５５】
図１１は、本出願による実施形態２におけるデータ送信装置の概略構造図である。本装置は端末中に配置され得る。図１１を参照すると、本装置は、送りユニット２１および受信ユニット２２を含む。
【０１５６】
送りユニット２１は、基地局にランダムアクセスプリアンブルシーケンスを送るように構成される。
【０１５７】
受信ユニット２２は、ランダムアクセスプリアンブルシーケンスに基づいて基地局によって送られたメディアアクセス制御ＭＡＣパケットデータユニットＰＤＵを受信するように構成され、ＭＡＣ  ＰＤＵはタイプ指示フィールドを含み、タイプ指示フィールドは、端末が最初のアップリンク情報中でデータを送信する様式を示すために使用される。
【０１５８】
任意選択で、タイプ指示フィールドは、ＭＡＣ  ＰＤＵのＭＡＣランダムアクセス応答ＲＡＲ中に配置される。
【０１５９】
任意選択で、タイプ指示フィールドは、ＭＡＣ  ＰＤＵのＭＡＣヘッダ中に配置される。
【０１６０】
任意選択で、タイプ指示フィールドは１ビットを含み、タイプ指示フィールド中に含まれるビットは、ＭＡＣ  ＲＡＲ中の第１のビットであるか、または
タイプ指示フィールド中に含まれるビットは、ＭＡＣ  ＲＡＲ中の第１、第２８、第２９、第３０、第３１、もしくは第３２のビットのうちの少なくとも１つである。
【０１６１】
任意選択で、ＭＡＣ  ＰＤＵ中の１つのＭＡＣ  ＲＡＲは、ＭＡＣ  ＰＤＵのＭＡＣヘッダ中の１つのサブヘッダに対応し、サブヘッダは８ビットを含み、サブヘッダは、ＭＡＣヘッダ中の第ｍのサブヘッダであり、ｍは２以上の正の整数であり、サブヘッダ中の第１のビットは延長フィールドであり、サブヘッダ中の第２のビットはタイプ指示フィールドであり、サブヘッダ中の第３のビットから第８のビットは、ランダムアクセスプリアンブル識別子を示すために使用される。
【０１６２】
任意選択で、ＭＡＣ  ＰＤＵのＭＡＣヘッダは、Ｌ個の最初のサブヘッダを含み、各最初のサブヘッダは、ｎ個のタイプ指示フィールドを含み、各タイプ指示フィールドは、ＭＡＣ  ＰＤＵ中の１つのＭＡＣ  ＲＡＲに対応し、ｎは正の整数であり、Ｌは１以上の正の整数である。
【０１６３】
任意選択で、Ｌ個の最初のサブヘッダは、ＭＡＣヘッダ中の最後のＬ個のサブヘッダであり、Ｌ個の最初のサブヘッダは、ＭＡＣヘッダ中の最初のサブヘッダを含まないか、または
Ｌ個の最初のサブヘッダは、最初のサブヘッダ以外のＭＡＣヘッダ中の最初のＬ個のサブヘッダである。
【０１６４】
任意選択で、各最初のサブヘッダは８ビットを含み、各最初のサブヘッダ中の第１のビットは延長フィールドであり、第２のビットはタイプフィールドであり、タイプフィールドは、最初のサブヘッダ中の第３のビットから第８のビットがタイプ指示フィールドとして構成されることを示すために使用される。
【０１６５】
サブヘッダのタイプフィールドが０に設定された場合、サブヘッダ中の第３のビットから第８のビットの各々は、１つのタイプ指示フィールドに対応する。
【０１６６】
任意選択で、最初のサブヘッダ中の第ｘのタイプ指示フィールドは、ＭＡＣ  ＰＤＵ中の第ｘのＭＡＣ  ＲＡＲに対応し、ｘは正の整数である。
【０１６７】
任意選択で、タイプ指示フィールドが１であるとき、タイプ指示フィールドは、端末が第１の様式で最初のアップリンク情報中でデータを送信することを示し、第１の様式は第１のアップリンク許可であるか、もしくはタイプ指示フィールドが０であるとき、タイプ指示フィールドは、端末が第２の様式で最初のアップリンク情報中でデータを送信することを示し、第２の様式は第２のアップリンク許可であるか、または
タイプ指示フィールドが１であるとき、タイプ指示フィールドは、端末が第３の様式で最初のアップリンク情報中でデータを送信することを示し、第３の様式は第３のアップリンク許可であるか、もしくはタイプ指示フィールドが０であるとき、タイプ指示フィールドは、端末が第４の様式で最初のアップリンク情報中でデータを送信することを示し、第４の様式は第４のアップリンク許可であるか、または
タイプ指示フィールドが１であるとき、タイプ指示フィールドは、端末が第５の様式で最初のアップリンク情報中でデータを送信することを示し、第５の様式は第２のアップリンク許可であるか、もしくはタイプ指示フィールドが０であるとき、タイプ指示フィールドは、端末が第６の様式で最初のアップリンク情報中でデータを送信することを示し、第６の様式は第４のアップリンク許可であり、
第１のアップリンク許可は、端末が、第１のクエリ様式で、最初のアップリンク情報を送信するためのトランスポートブロックサイズを決定することを示し、第２のアップリンク許可は、端末が、第２のクエリ様式で、最初のアップリンク情報を送信するためのトランスポートブロックサイズを決定することを示し、第３のアップリンク許可は、端末が物理リソースブロックのユニットでリソースを割り振ることを示し、第３のアップリンク許可を使用することによって割り振られるリソースは、１つの物理リソースブロック以上であり、第４のアップリンク許可を使用することによって割り振られるリソースは、１つの物理リソースブロックよりも少なく、第１のクエリ様式で決定される最大トランスポートブロックサイズＴＢＳは、第２のクエリ様式で決定される最大ＴＢＳよりも少ない。
【０１６８】
任意選択で、タイプ指示フィールドが０であるとき、タイプ指示フィールドは、端末が第７の様式で最初のアップリンク情報中でデータを送信することを示し、第７の様式は第１のアップリンク許可であるか、もしくはタイプ指示フィールドが１であるとき、タイプ指示フィールドは、端末が第８の様式で最初のアップリンク情報中でデータを送信することを示し、第８の様式は第２のアップリンク許可であるか、または
タイプ指示フィールドが０であるとき、タイプ指示フィールドは、端末が第９の様式で最初のアップリンク情報中でデータを送信することを示し、第９の様式は第３のアップリンク許可であるか、もしくはタイプ指示フィールドが１であるとき、タイプ指示フィールドは、端末が第１０の様式で最初のアップリンク情報中でデータを送信することを示し、第１０の様式は第４のアップリンク許可であるか、または
タイプ指示フィールドが０であるとき、タイプ指示フィールドは、端末が第１１の様式で最初のアップリンク情報中でデータを送信することを示し、第１１の様式は第２のアップリンク許可であるか、もしくはタイプ指示フィールドが１であるとき、タイプ指示フィールドは、端末が第１２の様式で最初のアップリンク情報中でデータを送信することを示し、第１２の様式は第４のアップリンク許可であり、
第１のアップリンク許可は、端末が、第１のクエリ様式で、最初のアップリンク情報を送信するためのトランスポートブロックサイズを決定することを示し、第２のアップリンク許可は、端末が、第２のクエリ様式で、最初のアップリンク情報を送信するためのトランスポートブロックサイズを決定することを示し、第３のアップリンク許可は、端末が物理リソースブロックのユニットでリソースを割り振ることを示し、第３のアップリンク許可を使用することによって割り振られるリソースは、１つの物理リソースブロック以上であり、第４のアップリンク許可を使用することによって割り振られるリソースは、１つの物理リソースブロックよりも少なく、第１のクエリ様式で決定される最大トランスポートブロックサイズＴＢＳは、第２のクエリ様式で決定される最大ＴＢＳよりも少ない。
【０１６９】
任意選択で、端末の物理ランダムアクセスチャネルが第１のモードを使用するとき、端末は、第１３の様式もしくは第１４の様式で最初のアップリンク情報中でデータを送信し、第１３の様式は第１のアップリンク許可であり、第１４の様式は第２のアップリンク許可であり、および／または
端末の物理ランダムアクセスチャネルが第２のモードを使用するとき、端末は、第１５の様式もしくは第１６の様式で最初のアップリンク情報中でデータを送信し、第１５の様式は第３のアップリンク許可であり、第１６の様式は第４のアップリンク許可であり、
第１のモードは、カバレージ拡張レベル０、カバレージ拡張レベル１、およびカバレージ拡張モードＡのうちの１つまたは複数であり、第２のモードは、カバレージ拡張レベル２、カバレージ拡張レベル３、およびカバレージ拡張モードＢのうちの１つまたは複数である。
【０１７０】
任意選択で、最初のアップリンク情報は、ＭＡＣ  ＰＤＵ中のＭＡＣ  ＲＡＲに関連付けられたアップリンク情報であるか、または
最初のアップリンク情報は物理アップリンク共有チャネル上で搬送され、最初のアップリンク情報は、ＭＡＣ  ＲＡＲの後の１番目のアップリンク情報であるか、または
最初のアップリンク情報は、ランダムアクセス手順におけるメッセージ３であるか、
最初のアップリンク情報は、ランダムアクセス手順におけるメッセージ３とランダムアクセス手順における競合解消メッセージとの間のアップリンク情報であるか、または
最初のアップリンク情報は、ランダムアクセス手順におけるランダムアクセス応答メッセージと競合解消メッセージとの間のアップリンク情報である。
【０１７１】
本装置は、対応する方法実施形態において提供される方法を実施するように構成され得る。特定の実装および技術的効果は同様であり、詳細について本明細書で再び説明されない。
【０１７２】
データ送信装置の上記のユニットの分割は、論理機能の分割にすぎないことに留意されたい。実際の実装では、ユニットの全部または一部は、１つの物理エンティティに組み込まれ得るか、または物理的に分離され得る。加えて、これらのユニットは、処理要素を使用することによって呼び出されるソフトウェアの形態ですべて実装され得るか、もしくはハードウェアの形態ですべて実装され得るか、またはいくつかのユニットは、処理要素を使用することによって呼び出されるソフトウェアの形態で実装され得、いくつかのユニットは、ハードウェアの形態で実装され得る。たとえば、送りユニットは、独立して配設された処理要素であり得るか、または実装のために端末のチップに組み込まれ得る。加えて、送りユニットは、プログラムとして端末のメモリに記憶されてよく、端末の処理要素が送りユニットの機能を呼び出し、実行する。他のユニットの実装はこれと同様である。加えて、これらのユニットの全部または一部は、一体化され得るか、または別々に実装され得る。処理要素は集積回路であってよく、信号処理能力を有する。実装処理において、上記の方法または上記のユニットにおけるステップは、処理要素中のハードウェア集積論理回路を使用することによって、またはソフトウェアの形態の命令を使用することによって実装され得る。加えて、送りユニットは、制御送りユニットであり、アンテナおよび無線周波数装置などの端末の送り装置を使用することによって、基地局によって送られた情報を受信し得る。
【０１７３】
上記のユニットは、上記の方法を実装するための１つまたは複数の集積回路、たとえば、１つもしくは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つもしくは複数のマイクロプロセッサ（ｄｉｇｉｔａｌ  ｓｉｇｎａｌ  ｐｒｏｃｅｓｓｏｒ、ＤＳＰ）、または１つもしくは複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）として構成され得る。別の例では、ユニットのうちの１つが、処理要素によってスケジュールされるプログラムの形態で実装されたとき、処理要素は、汎用プロセッサ、たとえば、中央処理ユニット（Ｃｅｎｔｒａｌ  Ｐｒｏｃｅｓｓｉｎｇ  Ｕｎｉｔ、ＣＰＵ）、またはプログラムを呼び出すことができる別のプロセッサであり得る。別の例では、これらのユニットは、互いに一体化され、システムオンチップ（ｓｙｓｔｅｍ−ｏｎ−ａ−ｃｈｉｐ、ＳＯＣ）の形態で実装され得る。
【０１７４】
図１２は、本出願の実施形態による基地局の概略構造図である。図１２を参照すると、基地局は、アンテナ１１０、無線周波数装置１２０、およびベースバンド装置１３０を含む。アンテナ１１０は無線周波数装置１２０に接続される。アップリンク方向において、無線周波数装置１２０は、アンテナ１１０を使用することによって、端末によって送られた情報を受信し、端末によって送られた情報を、処理のためにベースバンド装置１３０に送る。ダウンリンク方向において、ベースバンド装置１３０は、端末の情報を処理し、情報を無線周波数装置１２０に送る。無線周波数装置１２０は、端末の情報を処理し、アンテナ１１０を使用することによって情報を端末に送る。
【０１７５】
上記のデータ送信装置は、ベースバンド装置１３０中に配置されてよく、実装では、ユニットは、プログラムをスケジュールする処理要素の形態で実装される。たとえば、ベースバンド装置１３０は、処理要素１３１および記憶要素１３２を含み、処理要素１３１は、記憶要素１３２に記憶されたプログラムを呼び出して、上記の方法実施形態における方法を実施する。加えて、ベースバンド装置１３０は、情報を無線周波数装置１２０と交換するように構成された、インターフェース１３３をさらに含み得る。インターフェースは、たとえば、共通公衆無線インターフェース（ｃｏｍｍｏｎ  ｐｕｂｌｉｃ  ｒａｄｉｏ  ｉｎｔｅｒｆａｃｅ、ＣＰＲＩ）である。
【０１７６】
別の実装では、上記のユニットは、上記の方法を実装するための１つまたは複数の処理要素として構成され得る。これらの処理要素はベースバンド装置１３０上に配設される。本明細書での処理要素は、集積回路、たとえば、１つもしくは複数のＡＳＩＣ、１つもしくは複数のＤＳＰ、または１つもしくは複数のＦＰＧＡであり得る。集積回路は、チップを形成するために一体化され得る。
【０１７７】
たとえば、上記のユニットは、システムオンチップ（ｓｙｓｔｅｍ−ｏｎ−ａ−ｃｈｉｐ、ＳＯＣ）の形態で一体化され得る。たとえば、ベースバンド装置１３０がＳＯＣチップを含み、チップは、上記の方法を実装するように構成される。処理要素１３１および記憶要素１３２はチップに組み込まれてよく、処理要素１３１は、記憶要素１３２に記憶されたプログラムを呼び出して、上記の方法または上記のユニットの機能を実装する。代替として、少なくとも１つの集積回路は、上記の方法または上記のユニットの機能を実装するためにチップに組み込まれてよい。代替として、上記の実装は組み合わされてよく、いくつかのユニットの機能は、プログラムを呼び出す処理要素によって実装され、いくつかのユニットの機能は、集積回路を使用することによって実装される。
【０１７８】
様式にかかわらず、データ送信装置は、少なくとも１つの処理要素、記憶要素、および通信インターフェースを含み、少なくとも１つの処理要素は、上記の方法実施形態において提供される方法を実施するように構成される。処理要素は、記憶要素に記憶されたプログラムを実行する第１の様式で、またはプロセッサ要素中のハードウェアの集積論理回路を使用する第２の様式で、上記の方法実施形態におけるステップの一部または全部を実施し得る。もちろん、上記の方法実施形態において提供される方法は、代替として、第１の様式を第２の様式と組み合わせることによって実施され得る。
【０１７９】
上記の説明におけるのと同じように、本明細書での処理要素は、汎用プロセッサ、たとえば、中央処理ユニット（Ｃｅｎｔｒａｌ  Ｐｒｏｃｅｓｓｉｎｇ  Ｕｎｉｔ、ＣＰＵ）であり得るか、または、上記の方法を実施する１つもしくは複数の集積回路、たとえば、１つもしくは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つもしくは複数のマイクロプロセッサ（ｄｉｇｉｔａｌ  ｓｉｇｎａｌ  ｐｒｏｃｅｓｓｏｒ、ＤＳＰ）、または１つもしくは複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）などとして構成され得る。
【０１８０】
記憶要素は、メモリであり得るか、または複数の記憶要素のための一般名であり得る。
【０１８１】
図１３は、本出願の実施形態による端末の概略構造図である。図１３を参照すると、端末は、プロセッサ１１０、メモリ１２０、およびトランシーバ装置１３０を含む。トランシーバ装置１３０はアンテナに接続され得る。ダウンリンク方向において、トランシーバ装置１３０は、アンテナを使用することによって、基地局によって送られた情報を受信し、情報を処理のためにプロセッサ１１０に送る。アップリンク方向において、プロセッサ１１０は、端末のデータを処理し、トランシーバ装置１３０を使用することによってデータを基地局に送る。
【０１８２】
メモリ１２０は、上記の方法実施形態または図１１に示されている実施形態におけるユニットを実装するためのプログラムを記憶するように構成され、プロセッサ１１０は、プログラムを呼び出して、上記の方法実施形態における動作を実施して、図１１に示されているユニットを実装する。
【０１８３】
代替として、上記のユニットの一部または全部は、端末のチップに埋め込まれた集積回路を使用することによって実装されてよい。加えて、ユニットは、独立して実装され得るか、または互いに一体化され得る。言い換えれば、上記のユニットは、上記の方法を実装するための１つまたは複数の集積回路、たとえば、１つもしくは複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、１つもしくは複数のマイクロプロセッサ（ｄｉｇｉｔａｌ  ｓｉｇｎａｌ  ｐｒｏｃｅｓｓｏｒ、ＤＳＰ）、または１つもしくは複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）として構成され得る。
【０１８４】
本出願は、可読記憶媒体およびコンピュータプログラムを含む、記憶媒体をさらに提供し、コンピュータプログラムは、上記の実施形態のいずれか１つにおいて提供されるデータ送信方法を実装するために使用される。
【０１８５】
本出願はプログラム製品をさらに提供する。プログラム製品はコンピュータプログラム（すなわち、実行命令）を含み、コンピュータプログラムは可読記憶媒体に記憶される。送りデバイスの少なくとも１つのプロセッサは、可読記憶媒体からコンピュータプログラムを読み取ってよく、この少なくとも１つのプロセッサはコンピュータプログラムを実行し、それにより、送りデバイスは、上記の実装において提供されるデータ送信方法を実施する。
【０１８６】
本出願の実施形態は、少なくとも１つの記憶要素および少なくとも１つの処理要素を含む、通信装置をさらに提供する。少なくとも１つの記憶要素は、プログラムを記憶するように構成され、プログラムが実行されるとき、データ送信装置は、上記の実施形態のいずれか１つにおける基地局の動作を実施することを可能にされる。装置は基地局チップであってよい。
【０１８７】
上記の方法実施形態の全部または一部のステップは、プログラム命令に関係するハードウェアを使用することによって実装され得る。上記のプログラムはコンピュータ可読メモリに記憶され得る。プログラムが実行されるとき、実施形態における方法のステップが実施される。メモリ（記憶媒体）は、読取り専用メモリ（英語：ｒｅａｄ−ｏｎｌｙ  ｍｅｍｏｒｙ、略してＲＯＭ）、ＲＡＭ、フラッシュメモリ、ハードディスク、ソリッドステートディスク、磁気テープ（英語：ｍａｇｎｅｔｉｃ  ｔａｐｅ）、フロッピーディスク（英語：ｆｌｏｐｐｙ  ｄｉｓｋ）、光ディスク（英語：ｏｐｔｉｃａｌ  ｄｉｓｃ）、およびそれらの任意の組合せを含む。
【０１８８】
上記の説明は、本出願の特定の実装にすぎず、本出願の保護範囲を限定するものではない。本出願に開示される技術的範囲内で当業者によって容易に理解されるいかなる変形または置換も、本出願の保護範囲内に入る。したがって、本出願の保護範囲は、特許請求の範囲の保護範囲に従わなければならないものである。
【図１】
2020528247.tif 000013
【図２】
2020528247.tif 000014
【図３】
2020528247.tif 000015
【図４】
2020528247.tif 000016
【図５】
2020528247.tif 000017
【図６】
2020528247.tif 000018
【図７】
2020528247.tif 000019
【図８】
2020528247.tif 000020
【図９】
2020528247.tif 000021
【図１０】
2020528247.tif 000022
【図１１】
2020528247.tif 000023
【図１２】
2020528247.tif 000024
【図１３】
2020528247.tif 000025
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
基地局によって、端末によって送られたランダムアクセスプリアンブルシーケンスを受信するステップと、
前記基地局によって、前記ランダムアクセスプリアンブルシーケンスに基づいて前記端末にメディアアクセス制御ＭＡＣパケットデータユニットＰＤＵを送るステップであって、前記ＭＡＣ  ＰＤＵはタイプ指示フィールドを備え、前記タイプ指示フィールドは、前記端末が最初のアップリンク情報中でデータを送信する様式を示すために使用される、ステップと
を備えるデータ送信方法。
【請求項２】
前記タイプ指示フィールドは、前記ＭＡＣ  ＰＤＵのＭＡＣランダムアクセス応答ＲＡＲ中に配置される
請求項１に記載の方法。
【請求項３】
前記タイプ指示フィールドは１ビットを備え、前記タイプ指示フィールド中に備えられる前記ビットは、前記ＭＡＣ  ＲＡＲ中の第１のビットであるか、または
前記タイプ指示フィールド中に備えられる前記ビットは、前記ＭＡＣ  ＲＡＲ中の第１、第２８、第２９、第３０、第３１、もしくは第３２のビットのうちの少なくとも１つである
請求項２に記載の方法。
【請求項４】
前記最初のアップリンク情報は、前記ＭＡＣ  ＰＤＵ中の前記ＭＡＣ  ＲＡＲに関連付けられたアップリンク情報であるか、または
前記最初のアップリンク情報は物理アップリンク共有チャネル上で搬送され、前記最初のアップリンク情報は、前記ＭＡＣ  ＲＡＲの後の１番目のアップリンク情報であるか、または
前記最初のアップリンク情報は、ランダムアクセス手順におけるメッセージ３であるか、または
前記最初のアップリンク情報は、ランダムアクセス手順におけるメッセージ３とランダムアクセス手順における競合解消メッセージとの間のアップリンク情報であるか、または
前記最初のアップリンク情報は、ランダムアクセス手順におけるランダムアクセス応答メッセージと競合解消メッセージとの間のアップリンク情報である
請求項１乃至３のいずれか一項に記載の方法。
【請求項５】
端末によって、基地局にランダムアクセスプリアンブルシーケンスを送るステップと、
前記端末によって、前記ランダムアクセスプリアンブルシーケンスに基づいて、前記基地局によって送られたメディアアクセス制御ＭＡＣパケットデータユニットＰＤＵを受信するステップであって、
前記ＭＡＣ  ＰＤＵはタイプ指示フィールドを備え、前記タイプ指示フィールドは、前記端末が最初のアップリンク情報中でデータを送信する様式を示すために使用される、ステップと
を備えるデータ送信方法。
【請求項６】
前記タイプ指示フィールドは、前記ＭＡＣ  ＰＤＵのＭＡＣランダムアクセス応答ＲＡＲ中に配置される
請求項５に記載の方法。
【請求項７】
前記タイプ指示フィールドは１ビットを備え、前記タイプ指示フィールド中に備えられる前記ビットは、前記ＭＡＣ  ＲＡＲ中の第１のビットであるか、または
前記タイプ指示フィールド中に備えられる前記ビットは、前記ＭＡＣ  ＲＡＲ中の第１、第２８、第２９、第３０、第３１、もしくは第３２のビットのうちの少なくとも１つである
請求項６に記載の方法。
【請求項８】
前記最初のアップリンク情報は、前記ＭＡＣ  ＰＤＵ中の前記ＭＡＣ  ＲＡＲに関連付けられたアップリンク情報であるか、または
前記最初のアップリンク情報は物理アップリンク共有チャネル上で搬送され、前記最初のアップリンク情報は、前記ＭＡＣ  ＲＡＲの後の１番目のアップリンク情報であるか、または
前記最初のアップリンク情報は、ランダムアクセス手順におけるメッセージ３であるか、または
前記最初のアップリンク情報は、ランダムアクセス手順におけるメッセージ３とランダムアクセス手順における競合解消メッセージとの間のアップリンク情報であるか、または
前記最初のアップリンク情報は、ランダムアクセス手順におけるランダムアクセス応答メッセージと競合解消メッセージとの間のアップリンク情報である
請求項５乃至７のいずれか一項に記載の方法。
【請求項９】
データ送信装置であって、前記装置は、請求項１乃至４のいずれか一項に記載の方法を実施するように構成されたデータ送信装置。
【請求項１０】
データ送信装置であって、前記装置は、請求項５乃至８のいずれか一項に記載の方法を実施するように構成されたデータ送信装置。
【請求項１１】
コンピュータプログラムを含むコンピュータ可読記憶媒体であって、前記コンピュータプログラムがコンピュータ上で実行されるとき、前記コンピュータに請求項１乃至４又は請求項５乃至８のいずれか一項に記載の方法を実行させるコンピュータ可読記憶媒体。
【請求項１２】
請求項１乃至４のいずれか一項に記載の方法を実行する通信装置と、請求項５乃至８のいずれか一項に記載の方法を実行する通信装置とを備える通信システム。
【請求項１３】
メモリからコンピュータプログラムを呼び出して前記コンピュータプログラムを実行することにより、チップシステムを備えたデバイスが請求項１乃至４または請求項５乃至８のいずれか一項に記載の方法を実行するように構成されたプロセッサを含むチップシステム。
【手続補正２】
【補正対象書類名】明細書
【補正対象項目名】００５９
【補正方法】変更
【補正の内容】
【００５９】
図１は、本出願の実施形態によるデータ送信方法のシステムのアーキテクチャ図である。図１に示されているように、本システムは、基地局２０および端末１０を含む。端末は、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、セッション開始プロトコル（ＳＩＰ）電話、ワイヤレスローカルループ（ＷＬＬ、Ｗｉｒｅｌｅｓｓ  Ｌｏｃａｌ  Ｌｏｏｐ）局、携帯情報端末（ＰＤＡ、Ｐｅｒｓｏｎａｌ  Ｄｉｇｉｔａｌ  Ａｓｓｉｓｔａｎｔ）、またはアクセス端末（Ａｃｃｅｓｓ  Ｔｅｒｍｉｎａｌ）などのデバイスを含み得る。通信システムにおいて、端末１０は、基地局２０にランダムアクセスプリアンブルシーケンスを送る。ランダムアクセスプリアンブルシーケンスを受信した後に、基地局２０は、メディアアクセス制御（Ｍｅｄｉｕｍ  Ａｃｃｅｓｓ  Ｃｏｎｔｒｏｌ、ＭＡＣ）パケットデータユニット（Ｐａｃｋeｔ ｒｏｔｏｃｏｌ  Ｄａｔａ  Ｕｎｉｔ、ＰＤＵ）を端末に送る。ＭＡＣ  ＰＤＵはタイプ指示フィールドを含み、タイプ指示フィールドは、端末が最初のアップリンク情報中でデータを送信する様式を示すために使用され、端末は、タイプ指示フィールドによって示される様式で最初のアップリンク情報中でデータを送信する。タイプ指示フィールドは、端末が最初のアップリンク情報中でデータを送信する様式を示すか、またはより大きいトランスポートブロックサイズを示し得るか、または従来技術におけるものよりも小さいリソース割振りグラニュラリティを示し得、それにより、リソース割振りはよりフレキシブルになる。
【手続補正３】
【補正対象書類名】明細書
【補正対象項目名】００６７
【補正方法】変更
【補正の内容】
【００６７】
図３は、ＭＡＣ  ＰＤＵの概略構造図である。図３に示されているように、ＭＡＣ  ＰＤＵは、１つのＭＡＣヘッダ、０個以上のＭＡＣ  ＲＡＲ、および任意選択のパディング部分を含む。ＭＡＣ  ＲＡＲは、ＭＡＣ  ＰＤＵのペイロード部分である。図３に示されているＭＡＣ  ＰＤＵの構造に基づいて、上記のタイプ指示フィールドがＭＡＣ  ＰＤＵ中に配置されるロケーションは、以下の２つの場合を含み得る。
【手続補正４】
【補正対象書類名】明細書
【補正対象項目名】００８４
【補正方法】変更
【補正の内容】
【００８４】
表１によれば、既存のＣＥ  Ｍｏｄｅ  Ａでは、Ｍｓｇ３  ＰＵＳＣＨリソース割当てフィールドは、ＲＩＶが０から１５にわたることのみを示すことができる、４ビットを含む。割り振られるＰＲＢの対応する量は、１、２、３、または６である。短縮されたＭＣＳ指示フィールドは３ビットを含み、対応する変調およびコーディング方式（ｍｏｄｕｌａｔｉｏｎ  ｃｏｄｉｎｇ  ｓｃｈｅｍｅ、ＭＣＳ）インデックスは、０から７の値である。表２は、既存のＣＥ  Ｍｏｄｅ  ＡにおけるＭｓｇ３のＴＢＳを示す。
【手続補正５】
【補正対象書類名】明細書
【補正対象項目名】００８９
【補正方法】変更
【補正の内容】
【００８９】
既存のＣＥモードＢでは、リソース割当てフィールドは３ビットを含むが、３つのＰＲＢと６つのＰＲＢとの２つの場合のみを示す。短縮されたＴＢＳインデックス指示フィールドは、ＴＢＳインデックスが０から３にわたることを示す、２ビットを含む。表４は、既存のＣＥ  Ｍｏｄｅ  ＢにおけるＭｓｇ３のＴＢＳを示す。
【手続補正６】
【補正対象書類名】明細書
【補正対象項目名】０１８１
【補正方法】変更
【補正の内容】
【０１８１】
図１３は、本出願の実施形態による端末の概略構造図である。図１３を参照すると、端末は、プロセッサ１１００、メモリ１２００、およびトランシーバ装置１３００を含む。トランシーバ装置１３００はアンテナに接続され得る。ダウンリンク方向において、トランシーバ装置１３００は、アンテナを使用することによって、基地局によって送られた情報を受信し、情報を処理のためにプロセッサ１１００に送る。アップリンク方向において、プロセッサ１１００は、端末のデータを処理し、トランシーバ装置１３００を使用することによってデータを基地局に送る。
【手続補正７】
【補正対象書類名】明細書
【補正対象項目名】０１８２
【補正方法】変更
【補正の内容】
【０１８２】
メモリ１２００は、上記の方法実施形態または図１１に示されている実施形態におけるユニットを実装するためのプログラムを記憶するように構成され、プロセッサ１１００は、プログラムを呼び出して、上記の方法実施形態における動作を実施して、図１１に示されているユニットを実装する。
【手続補正８】
【補正対象書類名】図面
【補正対象項目名】図１３
【補正方法】変更
【補正の内容】
【図１３】
2020528247.tif 000026
【国際調査報告】
2020528247.tif 000027
2020528247.tif 000028
2020528247.tif 000029
2020528247.tif 000030